(57)【要約】  ワイヤレス通信のための方法、装置、およびコンピュータプログラム製品が提供されている。一態様では、ユーザ機器（ＵＥ）は、ＵＥにおいて信号を受信する。受信された信号は、サービス提供セルからの送信および少なくとも１つの第１の干渉送信を含む。ＵＥは、第１の干渉送信に関連付けられる、制限された送信レートを決定し、その制限された送信レートに基づいて、受信された信号から第１の干渉送信を除去する。別の態様では、ワイヤレス通信装置は、１つまたは複数の低減レートリソース上での送信のために制限された送信レートを決定する。ワイヤレス通信装置は、ユーザ機器（ＵＥ）にその制限された送信レートをシグナリングする。
2016536835.tif 000002
【特許請求の範囲】
【請求項１】
ユーザ機器（ＵＥ）のためのワイヤレス通信の方法であって、
ＵＥにおいて信号を受信することと、前記受信された信号は、サービス提供セルからの送信および少なくとも１つの干渉送信を備え、前記少なくとも１つの干渉送信は、第１の干渉送信を含む、
前記第１の干渉送信に関連付けられる、制限された送信レートを決定することと、
前記制限された送信レートに基づいて前記第１の干渉送信を除去することと、
を備える方法。
【請求項２】
前記少なくとも１つの干渉送信を受信するよりも前に、前記サービス提供セルから構成情報を受信することをさらに備え、前記構成情報は、
前記第１の干渉送信が受信される１つまたは複数の低減レートリソースの指示と、
前記第１の干渉送信に関連付けられる、前記制限された送信レートと、
を少なくとも含む、請求項１に記載の方法。
【請求項３】
前記少なくとも１つの干渉送信に対して測定を実行することと、前記少なくとも１つの干渉送信は、１つまたは複数の干渉セルからのものである、
前記サービス提供セルに前記測定を報告することと、
をさらに備える、請求項１に記載の方法。
【請求項４】
前記１つまたは複数の干渉セルは、前記ＵＥにおいて受信された少なくとも１つの第２の干渉送信よりも実質的に強力な前記受信された信号への干渉を引き起こす、前記第１の干渉送信を送る優性干渉セルを含む、請求項３に記載の方法。
【請求項５】
前記測定はさらに、前記受信された信号から前記第１の干渉送信を除去した後に前記ＵＥによって予期される利得を示す、請求項４に記載の方法。
【請求項６】
前記第１の干渉送信が受信される１つまたは複数の低減レートリソースを決定することをさらに備え、前記１つまたは複数の低減レートリソースは、前記制限された送信レートで構成され、
前記受信された信号から前記第１の干渉送信を除去することは、前記１つまたは複数の低減レートリソースに対して実行される、請求項１に記載の方法。
【請求項７】
前記第１の干渉送信の前記除去の成功レートを示す統計を前記サービス提供セルに報告することをさらに備える、請求項１に記載の方法。
【請求項８】
ワイヤレス通信の方法であって、
１つまたは複数のリソース上での送信のために制限された送信レートを決定することと、
ユーザ機器（ＵＥ）に前記制限された送信レートをシグナリングすることと、
を備える、方法。
【請求項９】
前記制限された送信レートは、前記ＵＥからの測定に基づいて決定される、請求項８に記載の方法。
【請求項１０】
前記測定は、前記送信が前記ＵＥにおいて受信された少なくとも１つの第２の送信よりも実質的に強力な干渉を引き起こすことを示す、請求項９に記載の方法。
【請求項１１】
前記測定はさらに、前記ＵＥにおいて受信された信号からの送前記信の除去の後にＵＥによって予期される利得を示す、請求項１０に記載の方法。
【請求項１２】
前記ＵＥにおいて受信された前記信号からの前記送信の前記除去の成功レートを示す統計を前記ＵＥから受信すること、
をさらに備える、請求項１１に記載の方法。
【請求項１３】
前記制限された送信レートに基づいて前記送信をＵＥに送ることをさらに備える、請求項８に記載の方法。
【請求項１４】
前記送信のために低減レートリソースを決定することをさらに備える、請求項８に記載の方法。
【請求項１５】
ワイヤレス通信のためのユーザ機器（ＵＥ）であって、
ＵＥにおいて信号を受信するための手段と、前記受信された信号は、サービス提供セルからの送信および少なくとも１つの第１の干渉送信を備える、
前記第１の干渉送信に関連付けられる、制限された送信レートを決定するための手段と、
前記制限された送信レートに基づいて、前記受信された信号から前記第１の干渉送信を除去するための手段と、
を備える、ＵＥ。
【請求項１６】
前記少なくとも１つの干渉送信を受信するよりも前に、前記サービス提供セルから構成情報を受信するための手段をさらに備え、前記構成情報は、
前記第１の干渉送信が受信される１つまたは複数の低減レートリソースの指示と、
前記第１の干渉送信に関連付けられる、前記制限された送信レートと、
を少なくとも含む、請求項１５に記載のＵＥ。
【請求項１７】
１つまたは複数の干渉セルからの干渉送信に対して測定を実行するための手段と、
前記サービス提供セルに前記測定を報告するための手段と、
をさらに備える、請求項１５に記載のＵＥ。
【請求項１８】
前記１つまたは複数の干渉セルは、前記ＵＥにおいて受信された少なくとも１つの第２の干渉送信よりも実質的に強力な前記受信された信号への干渉を引き起こす、前記第１の干渉送信を送る優性干渉セルを含む、請求項１７に記載のＵＥ。
【請求項１９】
前記測定はさらに、前記受信された信号から前記第１の干渉送信を除去した後に前記ＵＥによって予期される利得を示す、請求項１８に記載のＵＥ。
【請求項２０】
前記第１の干渉送信が受信される１つまたは複数の低減レートリソースを決定するための手段をさらに備え、前記１つまたは複数の低減レートリソースは、前記制限された送信レートで構成され、
前記受信された信号から前記第１の干渉送信を除去することは、前記１つまたは複数の低減レートリソースにさらに基づく、請求項１５に記載のＵＥ。
【請求項２１】
前記第１の干渉送信の前記除去の成功レートを示す統計を前記サービス提供セルに報告するための手段をさらに備える、請求項１５に記載のＵＥ。
【請求項２２】
ワイヤレス通信のための装置であって、
１つまたは複数のリソース上での送信のために制限された送信レートを決定するための手段と、
ユーザ機器（ＵＥ）に前記制限された送信レートをシグナリングする手段と、
を備える、装置。
【請求項２３】
前記制限された送信レートは、前記ＵＥからの測定に基づいて決定される、請求項２２に記載の装置。
【請求項２４】
前記測定は、前記送信が前記ＵＥにおいて受信された少なくとも１つの第２の送信よりも実質的に強力な干渉を引き起こすことを示す、請求項２３に記載の装置。
【請求項２５】
前記測定はさらに、前記ＵＥにおいて受信された信号からの前記送信の除去の後にＵＥによって予期される利得を示す、請求項２４に記載の装置。
【請求項２６】
前記ＵＥにおいて受信された前記信号からの前記送信の前記除去の成功レートを示す統計を前記ＵＥから受信するための手段をさらに備える、請求項２５に記載の装置。
【請求項２７】
前記制限された送信レートに基づいて前記送信を前記ＵＥに送る手段をさらに備える、請求項２２に記載の装置。
【請求項２８】
前記送信のために低減レートリソースを決定するための手段をさらに備える、請求項２２に記載の装置。
【発明の詳細な説明】
【関連出願の相互参照】
【０００１】
本出願は、「MEASUREMENT AND SIGNALING FOR NETWORK ASSISTANCE TO ENABLE DATA-IC IN SMALL CELL CLUSTERS」という題名の、２０１４年９月２５日に出願された米国非仮出願番号第１４／４９７，２１８号、および「MEASUREMENT AND SIGNALING FOR NETWORK ASSISTANCE TO ENABLE DATA-IC IN SMALL CELL CLUSTERS」という題名の、２０１３年９月２７日に出願された米国仮出願番号第６１／８８３，９４８号の利益を主張し、それは全体として本明細書に参照によって明示的に組み込まれている。
【技術分野】
【０００２】
[0002]本開示は概して、通信システムに関し、より具体的には、データ干渉除去を可能にするネットワーク支援ための測定およびシグナリングに関する方法、コンピュータプログラム製品、および装置に関する。
【背景技術】
【０００３】
[0003]ワイヤレス通信システムは、電話通信、ビデオ、データ、メッセージング、およびブロードキャストのような様々なテレコミュニケーションサービスを提供するために広く展開されている。典型的なワイヤレス通信システムは、利用可能なシステムリソース（例えば、帯域幅、送信電力）を共有することによって複数のユーザとの通信をサポートする能力を有する多元接続技術を用いることができる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが市区町村レベル、国レベル、地域レベル、さらにはグローバルレベルで通信することを可能にする共通のプロトコルを提供するために、様々なテレコミュニケーション規格に採用されてきた。台頭してきたテレコミュニケーション規格の例は、ロングタームエボリューション（ＬＴＥ（登録商標））である。ＬＴＥは、第３世代パートナーシッププロジェクト（３ＧＰＰ（登録商標））によって公表された、ユニバーサルモバイルテレコミュニケーションシステム（ＵＭＴＳ）モバイル規格を拡張したもの（enhancement）のセットである。それは、スペクトル効率を改善すること、コストを下げること、サービスを向上させること、新たなスペクトルを利用すること、ならびにダウンリンク（ＤＬ）上でＯＦＤＭＡを使用して、アップリンク（ＵＬ）上でＳＣ−ＦＤＭＡを使用して、および多入力多出力（ＭＩＭＯ）アンテナ技術を使用して、より良好に他のオープン規格と統合することによって、モバイルブロードバンドインターネットアクセスをより良好にサポートするように設計されている。しかしながら、モバイルブロードバンドアクセスを求める需要が増加し続けるため、ＬＴＥ技術にはさらなる改善を求めるニーズが存在する。望ましくは、これらの改善は、これらの技術を用いる他の多元接続技術およびテレコミュニケーション規格に適用可能であるべきである。
【発明の概要】
【０００５】
[0005]本開示の態様では、方法、コンピュータプログラム製品、および装置が提供されている。一態様では、ユーザ機器（ＵＥ）のためのワイヤレス通信の方法が提供されている。その方法は、ＵＥにおいて信号を受信することを含む。受信された信号は、サービス提供セルからの送信および少なくとも１つの第１の干渉送信を含む。方法はまた、第１の干渉送信に関連付けられる、制限された送信レートを決定することも含む。方法はまた、制限された送信レートに基づいて第１の干渉送信を除去することも含む。
【０００６】
[0006]一態様では、ワイヤレス通信の方法が提供されている。その方法は、１つまたは複数のリソース上での送信のために制限された送信レートを決定することを含む。方法はさらに、ユーザ機器（ＵＥ）に制限された送信レートをシグナリングすることを含む。
【０００７】
[0007]一態様では、ユーザ機器（ＵＥ）が提供されている。そのＵＥは、ＵＥにおいて信号を受信するための手段を含む。受信された信号は、サービス提供セルからの送信および少なくとも１つの第１の干渉送信を含む。ＵＥはさらに、第１の干渉送信に関連付けられる、制限された送信レートを決定するための手段、および制限された送信レートに基づいて第１の干渉送信を除去するための手段を含む。
【０００８】
[0008]一態様では、ワイヤレス通信のための装置が提供されている。その装置は、１つまたは複数のリソース上での送信のために制限された送信レートを決定するための手段、およびユーザ機器（ＵＥ）に制限された送信レートをシグナリングするための手段を含む。
【０００９】
[0009]他の態様が以下の詳細な説明から当業者には容易に明らかになるだろうことは理解され、ここでは例示として様々な態様が図示および説明されている。図面および詳細な説明は、限定的なものではなく、本質的に例示的なものであると見なされることとする。
【図面の簡単な説明】
【００１０】
【図１】ネットワークアーキテクチャの例を例示している図である。
【図２】アクセスネットワークの例を例示している図である。
【図３】ＬＴＥにおけるＤＬフレーム構造の例を例示している図である。
【図４】ＬＴＥにおけるＵＬフレーム構造の例を例示している図である。
【図５】ユーザおよび制御プレーンに関する無線プロトコルアーキテクチャの例を例示している図である。
【図６】アクセスネットワークにおける発展型ノードＢおよびユーザ機器の例を例示している図である。
【図７】異種ネットワークにおける範囲拡張された（range expanded）セルラ領域を例示している図である。
【図８】異種ネットワーク（ＨｅｔＮｅｔ）の例である。
【図９】ＵＥに関する干渉除去の例である。
【図１０】クラスタ内のスモールセルがジグザグ状に（in a staggered fashion）制限された送信レートで送信する例である。
【図１１】ＵＥとサービス提供セルとの間のシグナリングの例である。
【図１２】ワイヤレス通信の方法のフローチャートである。
【図１３】ワイヤレス通信の方法のフローチャートである。
【図１４】実例的な装置における異なるモジュール／手段／コンポーネント間のデータフローを例示している概略的なデータフロー図である。
【図１５】処理システムを用いる装置のためのハードウェア実装の例を例示している図である。
【図１６】実例的な装置における異なるモジュール／手段／コンポーネント間のデータフローを例示している概略的なデータフロー図である。
【図１７】処理システムを用いる装置のためのハードウェア実装の例を例示している図である。
【発明を実施するための形態】
【００１１】
[0027]添付の図面に関係して以下で述べられる詳細な説明は、様々な構成の説明として意図されるものであり、本明細書で説明される概念が実施されうる唯一の構成を表すようには意図されていない。詳細な説明は、様々な概念の完全な理解を提供する目的で、具体的な詳細を含む。しかしながら、これらの概念がこれらの具体的な詳細なしに実施されうることは、当業者には明らかであろう。いくつかの事例では、周知の構造およびコンポーネントが、そのような概念を曖昧にすることを回避するためにブロック図の形態で図示されている。
【００１２】
[0028]次に、テレコミュニケーションシステムのいくつかの態様が、様々な装置および方法を参照して表されることになる。これらの装置および方法は、様々なブロック、モジュール、コンポーネント、回路、ステップ、プロセス、アルゴリズム等（集合的には「要素」と称される）によって、以下の詳細な説明において説明され、添付の図面において例示されることになる。これらの要素は、電子ハードウェア、コンピュータソフトウェア、またはそれらのあらゆる組み合わせを使用して実装されうる。そのような要素がハードウェアとして実装されるか、ソフトウェアとして実装されるかは、システム全体に課された設計制限および特定のアプリケーションに依存する。
【００１３】
[0029]例として、要素、または要素のいずれかの部分、または要素のあらゆる組み合わせが、１つまたは複数のプロセッサを含む「処理システム」で実装されうる。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理回路、ディスクリートハードウェア回路、および本開示全体を通して説明されている様々な機能を実行するように構成された他の適したハードウェアを含む。処理システムにおける１つまたは複数のプロセッサは、ソフトウェアを実行することができる。ソフトウェアは、ソフトウェア、ファームウェア、ミドルウェア、マイクロコード、ハードウェア記述言語、またはそれ以外で称されようとも、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるものとする。
【００１４】
[0030]したがって１つまたは複数の実例的な実施形態おいて、説明される機能は、ハードウェア、ソフトウェア、ファームウェア、またはそれらのあらゆる組み合わせで実行されうる。ソフトウェアで実行される場合、機能は、コンピュータ可読媒体上に、１つまたは複数の命令またはコードとして符号化されるか、あるいは記憶されうる。コンピュータ可読媒体は、コンピュータ記憶媒体を含む。記憶媒体は、コンピュータによってアクセスされうる、あらゆる利用可能な媒体でありうる。限定ではなく例として、このようなコンピュータ可読媒体は、ランダムアクセスメモリ（ＲＡＭ）、読取専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光学ディスクストレージ、磁気ディスクストレージまたは他の磁気記憶デバイス、あるいは命令またはデータ構造の形態で所望のプログラムコードを搬送または記憶するために使用され得、かつコンピュータによってアクセスされうる他の任意の媒体を備えることができる。本明細書で使用される場合、ディスク（disk）およびディスク（disc）は、ＣＤ、レーザーディスク（登録商標）、光学ディスク、デジタル多目的ディスク（ＤＶＤ）、フロッピー（登録商標）ディスクを含み、ここにおいてディスク（disk）が通常磁気的にデータを再生する一方で、ディスク（disc）はレーザーを用いて光学的にデータを再生する。上記の組み合わせもまた、コンピュータ可読媒体の範囲内に含まれるべきである。
【００１５】
[0031]図１は、ＬＴＥネットワークアーキテクチャ１００を例示している図である。ＬＴＥネットワークアーキテクチャ１００は、発展型パケットシステム（ＥＰＳ）１００と称されうる。ＥＰＳ１００は、１つまたは複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、ホーム加入者サーバ（ＨＳＳ）１２０、およびオペレータのインターネットプロトコル（ＩＰ）サービス１２２を含むことができる。ＥＰＳは、他のアクセスネットワークと相互接続することができるが、簡潔化のためにそれらのエンティティ／インターフェースは図示されていない。図示されているように、ＥＰＳはパケット交換サービスを提供するけれども、当業者は容易に認識するように、本開示全体を通して提示されている様々な概念が、回路交換サービスを提供するネットワークに拡張されることができる。
【００１６】
[0032]Ｅ−ＵＴＲＡＮは、発展型ノードＢ（ｅＮＢ）１０６および他のｅＮＢ１０８を含む。ｅＮＢ１０６は、ＵＥ１０２に対するユーザおよび制御プレーンプロトコル終端を提供する。ｅＮＢ１０６は、バックホール（例えば、Ｘ２インターフェース）を介して、他のｅＮＢ１０８に接続されうる。ｅＮＢ１０６はまた、基地局、ノードＢ、アクセスポイント、基地トランシーバ局、無線基地局、無線トランシーバ、トランシーバ機能、ベーシックサービスセット（ＢＳＳ）、拡張サービスセット（ＥＳＳ）、または何らかの他の適した専門用語として称されうる。ｅＮＢ１０６は、ＵＥ１０２のためのＥＰＣ１１０へのアクセスポイントを提供する。ＵＥ１０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（例えば、ＭＰ３プレイヤ）、カメラ、ゲーム機、タブレット、またはあらゆる他の同様に機能するデバイスを含む。ＵＥ１０２は、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語としても称されうる。
【００１７】
[0033]ｅＮＢ１０６はＥＰＣ１１０に接続される。ＥＰＣ１１０は、モビリティ管理エンティティ（ＭＭＥ）１１２、他のＭＭＥ１１４、サービングゲートウェイ１１６、マルチメディアブロードキャストマルチキャストサービス（ＭＢＭＳ）ゲートウェイ１２４、ブロードキャストマルチキャストサービスセンタ（ＢＭ−ＳＣ）１２６、およびパケットデータネットワーク（ＰＤＮ）ゲートウェイ１１８を含むことができる。ＭＭＥ１１２は、ＵＥ１０２とＥＰＣ１１０との間のシグナリングを処理する制御ノードである。一般に、ＭＭＥ１１２はベアラおよび接続管理を提供する。すべてのユーザＩＰパケットは、それ自体がＰＤＮゲートウェイ１１８に接続されるサービングゲートウェイ１１６を通って転送される。ＰＤＮゲートウェイ１１８は、ＵＥ  ＩＰアドレス割り当て、ならびに他の機能を提供する。ＰＤＮゲートウェイ１１８は、オペレータのＩＰサービス１２２に接続される。オペレータのＩＰサービス１２２は、インターネット、イントラネット、ＩＰマルチメディアサブシステム（ＩＭＳ）、およびＰＳストリーミングサービス（ＰＳＳ）を含むことができる。ＢＳ−ＳＣ１２６は、ＭＢＭＳユーザサービスプロビジョニングおよび配信のための機能を提供することができる。ＢＭ−ＳＣ１２６は、コンテンツプロバイダＭＢＭＳ送信のためのエントリポイントとしての役目をし、ＰＬＭＮ内のＭＢＭＳベアラサービスを認証および開始するために使用され得、ＭＢＭＳ送信をスケジュールおよび配信するために使用されうる。ＭＢＭＳゲートウェイ１２４は、特定のサービスをブロードキャストするマルチキャストブロードキャスト単一周波数ネットワーク（ＭＢＳＦＮ）エリアに属するｅＮＢ（例えば、１０６、１０８）にＭＢＭＳトラフィックを分配するために使用され得、セッション管理（開始／停止）およびｅＭＢＭＳ関連チャージ情報を集めることを担いうる。
【００１８】
[0034]図２は、ＬＴＥネットワークアーキテクチャにおけるアクセスネットワーク２００の例を例示している図である。この例では、アクセスネットワーク２００が、多数のセルラ領域（セル）２０２に分割される。１つまたは複数のより低い電力クラスのｅＮＢ２０８は、セル２０２のうちの１つまたは複数と重複するセルラ領域２１０を有することができる。より低い電力クラスｅＮＢ２０８は、フェムトセル（例えば、ホームｅＮＢ（ＨｅＮＢ））、ピコセル、マイクロセル、または遠隔無線ヘッド（ＲＲＨ）でありうる。マクロｅＮＢ２０４は各々、それぞれのセル２０２に割り当てられ、セル２０２内のすべてのＵＥ２０６にＥＰＣ１１０へのアクセスポイントを提供するように構成されている。アクセスネットワーク２００のこの例には集中コントローラが存在しないけれども、代わりの構成では集中コントローラが使用されうる。ｅＮＢ２０４は、無線ベアラ制御、アドミッション制御、モビリティ制御、スケジューリング、安全性、およびサービングゲートウェイ１１６への接続を含む、すべての無線関連機能を担う。ｅＮＢは、１つまたは複数（例えば、３つ）のセル（セクタとも称される）をサポートすることができる。「セル」という用語は、ｅＮＢの最小のカバレッジエリアを指しうる、および／またはｅＮＢサブシステムサービス提供（eNB subsystem serving）は、特定のカバレッジエリアである。さらに、「ｅＮＢ」、「基地局」および「セル」という用語は、本明細書では交換可能に使用されうる。
【００１９】
[0035]アクセスネットワーク２００によって用いられる変調および多元接続スキームは、展開されている特定のテレコミュニケーション規格に依存して異なりうる。ＬＴＥアプリケーションでは、周波数分割デュプレックス（ＦＤＤ）および時分割デュプレックス（ＴＤＤ）の両方をサポートするために、ＯＦＤＭはＤＬ上で使用され、ＳＣ−ＦＤＭＡはＵＬ上で使用される。以下に続く詳細な説明から当業者は容易に認識することになるように、本明細書で提示されている様々な概念はＬＴＥアプリケーションに十分に適している。しかしながら、これらの概念は、他の変調および多元接続技法を用いる他のテレコミュニケーション規格に容易に拡張されうる。例としてこれらの概念は、エボリューションデータオプティマイズド（ＥＶ−ＤＯ）またはウルトラモバイルブロードバンド（ＵＭＢ）に拡張されうる。ＥＶ−ＤＯおよびＵＭＢは、ＣＤＭＡ２０００規格ファミリの一部として、３世代パートナーシッププロジェクト２（３ＧＰＰ２）によって公表されたエアインターフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他の変形例を用いるユニバーサル地上無線アクセス（ＵＴＲＡ）、ＴＤＭＡを用いる移動体通信のための全世界システム（ＧＳＭ（登録商標））、ＯＦＤＭＡを用いる、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭにも拡張されうる。ＵＴＲＡ、Ｅ−ＵＴＲＡ、ＵＭＴＳ、ＬＴＥ、およびＧＳＭは、３ＧＰＰ団体による文書において説明されている。ＣＤＭＡ２０００およびＵＭＢは、３ＧＰＰ２団体による文書において説明されている。用いられる実際のワイヤレス通信規格および多元接続技術は、システムに課せられた全設計制限および指定のアプリケーションに依存するだろう。
【００２０】
[0036]ｅＮＢ２０４は、ＭＩＭＯ技術をサポートする複数のアンテナを有することができる。ＭＩＭＯ技術の使用は、ｅＮＢ２０４が、空間多重化、ビームフォーミング、および送信ダイバーシティをサポートするために空間領域を利用することを可能にする。空間多重化は、同じ周波数上で同時にデータの異なるストリームを送信するために使用されうる。データストリームは、データレートを向上させるために単一のＵＥ２０６に、または、全システム容量を増加させるために複数のＵＥ２０６に、送信されうる。これは、各データストリームを空間的にプリコーディングし（すなわち、振幅および位相のスケーリングを適用し）、その後、各空間的にプリコーディングされたストリームをＤＬ上で複数の送信アンテナを通じて送信することによって達成される。空間的にプリコーディングされたデータストリームは、ＵＥ（複数を含む）２０６の各々がそのＵＥ２０６に宛てられた１つまたは複数のデータストリームを復元することを可能にする異なる空間シグネチャとともにＵＥ２０６に到達する。ＵＬ上では、各ＵＥ２０６は、空間的にプリコーディングされたデータストリームを送信し、これは、ｅＮＢ２０４が、各空間的にプリコーディングされたデータストリームのソースを識別することを可能にする。
【００２１】
[0037]空間多重化は一般に、チャネル状況が良好なときに使用される。チャネル状況がさほど好ましくないときには、ビームフォーミングが１つまたは複数の方向に送信エネルギーの焦点を当てるために使用されうる。これは、複数のアンテナを通じた送信のためにデータを空間的にプリコーディングすることによって達成されうる。セルの端において良好なカバレッジを達成するために、シングルストリームビームフォーミング送信が、送信ダイバーシティと組み合わせて使用されうる。
【００２２】
[0038]以下に続く詳細な説明では、アクセスネットワークの様々な態様が、ＤＬ上でＯＦＤＭをサポートするＭＩＭＯシステムを参照して説明されることになる。ＯＦＤＭは、ＯＦＤＭシンボル内の多数のサブキャリアにわたってデータを変調する拡散スペクトル技術である。サブキャリアは、精確な周波数で間隔が空けられている。間隔を空けることは、受信機がサブキャリアからデータを復元することを可能にする「直交性」を提供する。時間ドメインでは、ＯＦＤＭシンボル間干渉を抑制するために、各ＯＦＤＭシンボルにガードインターバル（例えば、サイクリックプリフィクス）が追加されうる。ＵＬは、高いピーク対平均電力比（ＰＡＰＲ）を補償するために、ＤＦＴ拡散ＯＦＤＭ信号の形態でＳＣ−ＦＤＭＡを使用することができる。
【００２３】
[0039]図３は、ＬＴＥにおけるＤＬフレーム構造の例を例示している図３００である。フレーム（１０ｍｓ）は、１０つの等しいサイズのサブフレームに分割されうる。各サブフレームは、２つの連続するタイムスロットを含むことができる。リソースグリッドは２つのタイムスロットを表すために使用され得、各タイムスロットはリソースブロックを含む。リソースグリッドは、複数のリソース要素に分割される。ＬＴＥにおいて、リソースブロックは、周波数ドメインにおいて１２つの連続するサブキャリアを、各ＯＦＤＭシンボルにおける通常のサイクリックプリフィクスでは、時間ドメインにおいて７つの連続するＯＦＤＭシンボルを含み、合計で８４つのリソース要素を含む。拡張されたサイクリックプリフィクスでは、リソースブロックは、時間ドメインにおける６つの連続するＯＦＤＭシンボルを含み、合計で７２つのリソース要素を含む。Ｒ３０２、３０４として表示されている、リソース要素のいくつかは、ＤＬ基準信号（ＤＬ−ＲＳ）を含む。ＤＬ−ＲＳは、セル固有のＲＳ（ＣＲＳ）（時折、共通ＲＳとも呼ばれる）３０２、およびＵＥ固有のＲＳ（ＵＥ−ＲＳ）３０４を含む。ＵＥ−ＲＳ３０４は、対応する物理ＤＬ共有チャネル（ＰＤＳＣＨ）がマッピングされているリソースブロック上のみで送信される。各リソース要素によって搬送されるビットの数は、変調スキームに依存する。したがって、ＵＥが受信するリソースブロックが多いほど、および変調スキームが高度であるほど、そのＵＥのためのデータレートは高くなる。
【００２４】
[0040]図４は、ＬＴＥにおけるＵＬフレーム構造の例を例示している図４００である。ＵＬのために利用可能なリソースブロックは、データセクションおよび制御セクションに区分されうる。制御セクションは、システム帯域幅の両端に形成され得、設定可能なサイズを有することができる。制御セクションにおけるリソースブロックは、制御情報の送信のためにＵＥに割り当てられうる。データセクションは、制御セクションに含まれないすべてのリソースブロックを含むことができる。ＵＬフレーム構造は、結果として連続するサブキャリアを含むデータセクションをもたらし、これにより、単一のＵＥは、データセクションにおける連続するサブキャリアのすべてを割り当てられることができるようになる。
【００２５】
[0041]ＵＥは、ｅＮＢに制御情報を送信するために、制御セクションにおけるリソースブロック４１０ａ、４１０ｂを割り当てられうる。ＵＥはまた、ｅＮＢにデータを送信するために、データセクションにおけるリソースブロック４２０ａ、４２０ｂを割り当てられうる。ＵＥは、制御セクションにおける割り当てられたリソースブロック上で、物理ＵＬ制御チャネル（ＰＵＣＣＨ）において、制御情報を送信することができる。ＵＥは、データセクションにおける割り当てられたリソースブロック上で、物理ＵＬ共有チャネル（ＰＵＳＣＨ）において、データのみ、またはデータおよび制御情報の両方を送信することができる。ＵＬ送信は、サブフレームの両方のスロットにわたることができ、周波数にわたってホッピングする（hop）ことができる。
【００２６】
[0042]リソースブロックのセットは、物理ランダムアクセスチャネル（ＰＲＡＣＨ）４３０において、初期システムアクセスを実行し、ＵＬ同期を達成するために使用されうる。ＰＲＡＣＨ４３０はランダムシーケンスを搬送し、いずれのＵＬデータ／シグナリングも搬送することはできない。各ランダムアクセスプリアンブルは、６つの連続するリソースブロックに対応する帯域幅を占有する。開始周波数は、ネットワークによって指定される。すなわち、ランダムアクセスプリアンブルの送信は、ある特定の時間および周波数リソースに制限される。ＰＲＡＣＨのためのホッピングする周波数は存在しない。ＰＲＡＣＨの試みは、単一のサブフレーム（１ｍｓ）において、または少数しかない連続するサブフレームのシーケンスにおいて搬送され、ＵＥは、フレームごと（１０ｍｓ）に単一のＰＲＡＣＨの試みしか行うことができない。
【００２７】
[0043]図５は、ＬＴＥにおけるユーザおよび制御プレーンのための無線プロトコルアーキテクチャの例を例示している図５００である。ＵＥおよびｅＮＢのための無線プロトコルアーキテクチャは、レイヤ１、レイヤ２、およびレイヤ３の３つのレイヤで図示されている。レイヤ１（Ｌ１レイヤ）は、最下位のレイヤであり、様々な物理レイヤの信号処理機能を実行する。Ｌ１レイヤは、本明細書では物理レイヤ５０６と称されることになる。レイヤ２（Ｌ２レイヤ）５０８は、物理レイヤ５０６よりも上位にあり、物理レイヤ５０６をわたったＵＥとｅＮＢとの間のリンクを担う。
【００２８】
[0044]ユーザプレーンでは、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、それらは、ネットワーク側のｅＮＢで終端とされる。図示されていないけれども、ＵＥは、ネットワーク側のＰＤＮゲートウェイ１１８で終端するネットワークレイヤ（例えば、ＩＰレイヤ）、および接続のもう一方の端（例えば、遠端のＵＥ、サーバ、等）で終端するアプリケーションレイヤを含む、Ｌ２レイヤ５０８よりも上位の、いくつかの上位レイヤを有することができる。
【００２９】
[0045]ＰＤＣＰサブレイヤ５１４は、異なる無線ベアラと論理チャネルとの間での多重化を提供する。ＰＤＣＰサブレイヤ５１４はまた、無線送信のオーバヘッドを低減するための上位レイヤのデータパケットに関するヘッダ圧縮、データパケットを暗号化することによる安全性、ｅＮＢ間でのＵＥのためのハンドオーバサポートを提供する。ＲＬＣサブレイヤ５１２は、上位レイヤデータパケットのセグメント化およびリアセンブリ（reassembly）、損失データパケットの再送信、ハイブリッド自動再送要求（ＨＡＲＱ）による、順序の狂った受信を補償するデータパケットの並べ替えを提供する。ＭＡＣサブレイヤ５１０は、論理チャネルとトランスポートチャネルとの間の多重化を提供する。ＭＡＣサブレイヤ５１０はまた、１つのセルにおいて様々な無線リソース（例えば、リソースブロック）を複数のＵＥ間で割り当てることを担う。ＭＡＣサブレイヤ５１０はまた、ＨＡＲＱ演算を担う。
【００３０】
[0046]制御プレーンにおいて、ＵＥおよびｅＮＢのための無線プロトコルアーキテクチャは、制御プレーンではヘッダ圧縮機能が存在しないという点を除き、物理レイヤ５０６およびＬ２レイヤ５０８に関して実質的に同一である。制御プレーンはまた、レイヤ３（Ｌ３レイヤ）における無線リソース制御（ＲＲＣ）サブレイヤ５１６を含む。ＲＲＣサブレイヤ５１６は、無線リソース（例えば、無線ベアラ）を取得すること、およびｅＮＢとＵＥとの間でのＲＲＣシグナリングを使用してより下位のレイヤを構成することとを担う。
【００３１】
[0047]図６は、アクセスネットワークにおいてＵＥ６５０と通信状態にあるｅＮＢ６１０のブロック図である。ＤＬでは、コアネットワークからの上位レイヤのパケットが、コントローラ／プロセッサ６７５に提供される。コントローラ／プロセッサ６７５は、Ｌ２レイヤの機能を実行する。ＤＬにおいてコントローラ／プロセッサ６７５は、ヘッダ圧縮、暗号化、パケットセグメント化および並び替え、論理チャネルとトランスポートチャネルとの間での多重化、ならびに様々な優先順位メトリックに基づくＥ６５０への無線リソース割り振りを提供する。コントローラ／プロセッサ６７５はまた、ＨＡＲＱ演算、損失パケットの再送、ＵＥ６５０へのシグナリングを担う。
【００３２】
[0048]送信（ＴＸ）プロセッサ６１６は、Ｌ１レイヤ（すなわち、物理レイヤ）のための様々な信号処理機能を実行する。信号処理機能は、ＵＥ６５０における前方誤り訂正（ＦＥＣ）を容易にするようにコード化およびインターリーブすること、ならびに様々な変調スキーム（例えば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて信号コンステレーションにマッピングすることを含む。コード化および変調されたシンボルはその後、並行なストリームに分けられる。各ストリームはその後、時間ドメインのＯＦＤＭシンボルストリームを搬送する物理チャネルを作り出すために、ＯＦＤＭサブキャリアにマッピングされ、時間ドメインおよび／または周波数ドメインにおいて基準信号（例えば、パイロット）で多重化され、そして逆高速フーリエ変換（ＩＦＦＴ）を使用して互いに組み合わされる。ＯＦＤＭストリームは、複数の空間ストリームを作り出すために空間的にプリコーディングされる。チャネル推定器６７４からのチャネル推定値は、コード化および変調スキームを決定するために、ならびに空間処理のために、使用されうる。チャネル推定値は、ＵＥ６５０によって送信されたチャネル状況のフィードバックおよび／または基準信号から導出されうる。各空間ストリームはその後、別個の送信機６１８ＴＸを介して異なるアンテナ６２０に提供されうる。各送信機６１８ＴＸは、送信のためにＲＦキャリアを各空間ストリームで変調することができる。
【００３３】
[0049]ＵＥ６５０において、各受信機６５４ＲＸは、そのそれぞれアンテナ６５２を通じて信号を受信する。各受信機６５４ＲＸは、ＲＦキャリア上に変調された情報を復元し、受信（ＲＸ）プロセッサ６５６に情報を提供する。ＲＸプロセッサ６５６は、Ｌ１レイヤの様々な信号処理機能を実行する。ＲＸプロセッサ６５６は、ＵＥ６５０に宛てられたあらゆる空間ストリームを復元するために、情報に対して空間処理を実行することができる。複数の空間ストリームがＵＥ６５０に宛てられている場合、それらは、ＲＸプロセッサ６５６によって単一のＯＦＤＭシンボルストリームに組み合わされうる。ＲＸプロセッサ６５６はその後、高速フーリエ変換（ＦＦＴ）を使用して、ＯＦＤＭシンボルストリームを時間ドメインから周波数ドメインへと変換する。周波数ドメイン信号は、ＯＦＤＭ信号の各サブキャリアに対して別個のＯＦＤＭシンボルストリームを備える。各サブキャリア上のシンボルおよび基準信号は、ｅＮＢ６１０によって送信された最もあり得る信号コンステレーションポイントを決定することによって、復元および復調される。これらの軟判定は、チャネル推定器６５８によって計算されたチャネル推定値に基づきうる。これらの軟判定はその後、物理チャネル上でｅＮＢ６１０によって元々送信されたデータおよび制御信号を復元するために、復号およびデインターリーブされる。データおよび制御信号はその後、コントローラ／プロセッサ６５９に提供される。
【００３４】
[0050]コントローラ／プロセッサ６５９は、Ｌ２レイヤを実装する。コントローラ／プロセッサは、プログラムコードおよびデータを記憶するメモリ６６０に関連付けられうる。メモリ６６０は、コンピュータ可読媒体と称されうる。ＵＬにおいて、コントローラ／プロセッサ６５９は、コアネットワークからの上位レイヤパケットを復元するためにトランスポートチャネルと論理チャネルとの間での逆多重化、パケットリアセンブリ、解読、ヘッダ圧縮解除（decompression）、制御信号処理を提供する。上位レイヤパケットはその後、データシンク６６２に提供され、それは、Ｌ２レイヤより上位のすべてのプロトコルレイヤを表す。様々な制御信号もまた、Ｌ３処理のために、データシンク６６２に提供されうる。コントローラ／プロセッサ６５９はまた、ＨＡＲＱ演算をサポートするための、肯定応答（ＡＣＫ）および／または否定応答（ＮＡＣＫ）プロトコルを使用する誤り検出を担う。
【００３５】
[0051]ＵＬでは、データソース６６７は、コントローラ／プロセッサ６５９に上位レイヤパケットを提供するために使用される。データソース６６７は、Ｌ２レイヤより上位のすべてのプロトコルレイヤを表す。ｅＮＢ６１０によるＤＬ送信に関係して説明された機能と同様に、コントローラ／プロセッサ６５９は、ヘッダ圧縮、暗号化、パケットセグメント化および並び替え、ならびにｅＮＢ６１０による無線リソースの割り当てに基づく論理チャネルとトランスポートチャネルとの間での多重化を提供することによって、ユーザプレーンおよび制御プレーンのためのＬ２レイヤを実装する。コントローラ／プロセッサ６５９はまた、ＨＡＲＱ演算、損失パケットの再送、ｅＮＢ６１０へのシグナリングを担う。
【００３６】
[0052]ｅＮＢ６１０によって送信されたフィードバックまたは基準信号からチャネル推定器６５８によって導出されたチャネル推定値は、適切なコード化および変調スキームを選択し、空間処理を容易にするために、ＴＸプロセッサ６６８によって使用されうる。ＴＸプロセッサ６６８によって生成された空間ストリームは、別個の送信機６５４ＴＸを介して異なるアンテナ６５２に提供されうる。各送信機６５４ＴＸは、送信のためにＲＦキャリアをそれぞれの空間ストリームで変調することができる。
【００３７】
[0053]ＵＬ送信は、ＵＥ６５０における受信機機能に関係して説明されたものと同様の方法で、ｅＮＢ６１０において処理される。各受信機６１８ＲＸは、そのそれぞれのアンテナ６２０を通じて信号を受信する。各受信機６１８ＲＸは、ＲＦキャリア上に変調された情報を復元し、ＲＸプロセッサ６７０に情報を提供する。ＲＸプロセッサ６７０は、Ｌ１レイヤを実装することができる。
【００３８】
[0054]コントローラ／プロセッサ６７５は、Ｌ２レイヤを実装する。コントローラ／プロセッサ６７５は、プログラムコードおよびデータを記憶するメモリ６７６に関係付けられうる。メモリ６７６はコンピュータ可読媒体と称されうる。ＵＬにおいて、制御／プロセッサ６７５は、ＵＥ６５０からの上部レイヤパケットを復元するためにトランスポートチャネルと論理チャネルとの間の逆多重化、パケットリアセンブリ、解読、ヘッダ圧縮解除、制御信号処理を提供する。コントローラ／プロセッサ６７５からの上位レイヤパケットはコアネットワークに提供されうる。コントローラ／プロセッサ６７５はまた、ＨＡＲＱ演算をサポートするための、ＡＣＫおよび／またはＮＡＣＫプロトコルを使用する誤り検出を担う。
【００３９】
[0055]図７は、異種ネットワークにおける、範囲拡張されたセルラ領域を例示している図７００である。ＲＲＨ７１０ｂのようなより低い電力クラスｅＮＢは、ＲＲＨ７１０ｂとマクロｅＮＢ７１０ａとの間における強化型セル間干渉協調を通じて、およびＵＥ７２０によって実行される干渉除去を通じてセルラ領域７０２から拡張される、範囲拡張されたセルラ領域７０３を有することができる。強化型セル間干渉協調では、ＲＲＨ７１０ｂは、ＵＥ７２０の干渉状況に関する情報をマクロｅＮＢ７１０ａから受信する。その情報によりＲＲＨ７１０ｂは、ＵＥ７２０が範囲拡張されたセルラ領域７０３に入ると、範囲拡張されたセルラ領域７０３内のＵＥ７２０にサービス提供し、マクロｅＮＢ７１０ａからのＵＥ７２０のハンドオフを受け入れることができるようになる。
【００４０】
[0056]図８は、異種ネットワーク（ＨｅｔＮｅｔ）の例を例示している。ＨｅｔＮｅｔは、マクロセルネットワークおよびスモールセルの１つまたは複数の段（tier）を含むことができる。ＨｅｔＮｅｔ８００は、マクロ基地局８１０およびスモールセル８２０のクラスタを含む。スモールセル８２０のクラスタは、ＵＥのホットスポットにおいて展開されうる。ホットスポットは、大量の通信要望があるエリアを含み、スモールセルクラスタの展開は通信帯域幅を向上させることができる。スモールセルクラスタは、マクロセルと同一チャネルに（co-channel）展開されうる。クラスタのセルは、クラスタのセル間のバックホール接続を介して通信することができる。バックホール接続は、測定、シグナリング、および調整判定を搬送することができる。Ｘ２インターフェースまたは光ファイバ接続は、適用可能なバックホール接続メカニズムの例である。
【００４１】
[0057]いくつかの事例ではＵＥは、例えば、ＨｅｔＮｅｔのクラスタのスモールセルまたはマクロセルの送信から干渉を経験しうる。これらの干渉物（interferer）のいくつかは、優性（他の干渉物と比較されると非常に（really）強力）であることがある。優性干渉物を除去または軽減することは、サービス提供リンクの信頼性／リンク容量を向上させることができる。「除去」という用語は、干渉信号を除去および／または軽減することを指すために使用されうる。
【００４２】
[0058]干渉除去または軽減は、例えばコードワードレベル干渉除去（ＣＷＩＣ）の方法、シンボルレベル干渉除去（ＳＬＩＣ）の方法を介して、またはオールモストブランクサブフレーム（ＡＢＳ）の方法を使用して、実行されうる。ＣＷＩＣにおいてＵＥは、受信された干渉信号における干渉データを復号し、その後そのデータを除去することができる。ＣＷＩＣでは、ＵＥは、空間スキーム、変調およびコード化スキーム（ＭＣＳ）、送信モード（例えば、それがＵＥ−ＲＳに基づくか、ＣＲＳに基づくか）、リソースブロック（ＲＢ）割り当て、冗長バージョン（ＲＶ）、制御領域スパン（ＰＣＦＩＣＨ値）、または干渉セル信号に関連付けられたトラフィック対パイロット比（ＴＰＲ）に基づいて、除去を実行することができる。ＳＬＩＣでは、ＵＥは、受信された干渉信号から干渉変調シンボルを検出し、それらを除去する。ＳＬＩＣにおいてＵＥは、空間スキーム、変調順序、送信モード（例えば、それがＵＥ−ＲＳに基づくか、ＣＲＳに基づくか）、ＲＢ割り当て、制御領域スパン（ＰＣＦＩＣＨ値）、または第２のセル信号に関連付けられたＴＰＲに基づいて、除去を実行することができる。干渉除去技法を指すＳＬＩＣおよびＣＷＩＣとは対称的に、ＡＢＳは概して、干渉回避を指し、ここではデータを持たないサブフレーム（例えば、サブフレームは除去することが容易である基準信号のみを含みうる）は、ＵＥにおいて干渉を生成することを回避するために、指定されたサブフレームで干渉セルによって送信される。
【００４３】
[0059]除去効率（例えば、干渉スモールセルがＵＥにおいて抑制される量）は、干渉スモールセルがそのＵＥをスケジューリングするレートに応じる（a function of）。干渉セルが低レートでスケジューリングおよび送信する場合、干渉はより良好に除去または軽減されうる。
【００４４】
[0060]図９は、ＵＥに関する干渉除去の例を例示している。ＵＥｉ９４０は、サービス提供セル９３０によってサービス提供される。ＵＥｊ９２０は、近隣セル９１０によってサービス提供される。図９の構成では、ＵＥｊ９２０と通信する近隣セル９１０は、ＵＥｉ９４０に対して優性干渉物である。近隣セル９１０は、ＱＰＳＫを使用して送信をスケジューリングし、ＱＰＳＫは、（同じコーディングレートを前提とすると）６４ＱＡＭを使用してスケジューリングされた送信と比べて、ＵＥｉ９４０において干渉信号のより良好な除去効率を許容する。同じコーディングレートでは、ＱＰＳＫは、６４ＱＡＭよりも低いデータレートである。この例では、干渉物の送信レートは、変調およびコード化スキーム（ＭＣＳ）を指しうる。送信レートの例は、変調順序（ＭＯ）および送信ランクを含むことができる。
【００４５】
[0061]ある態様では、ＵＥごとの優性干渉物（例えば、スモールセルからの送信）が（例えばｂｐｓ／Ｈｚにおける）その送信レートを低減する場合、干渉を経験するＵＥは、干渉物からの干渉送信をより良好に除去することができる。言い換えると、干渉送信がより低いレートで送信される場合、ＵＥはより的に干渉を除去することができる。低減された送信レートはまた、サービス提供セルの信頼性／リンク容量を強化することもできる。
【００４６】
[0062]優性干渉物９１０は、そのＵＥｊ９２０に潜在的により高いレート（例えば、より高いＭＣＳインデックス）でスケジューリングおよび送信することができるけれども、優性干渉物９１０は、より低いレート（例えば、より低いＭＣＳインデックス）を使用するように制限されうる。そのような低減されたレートは、制限された送信レートと称されうる。
【００４７】
[0063]別の態様では、ＵＥｉ９４０は、ある特定の測定を実行し、制限された送信レートの計算のために、その測定結果をネットワークに報告することができる。一態様では、ＵＥｉ９４０は、最も強力な干渉物が他の干渉物に対してどれ程優性であるか、および／または最も強力な干渉物（例えば、干渉の重み（significance））を除去することからどれ程の利得をＵＥｉ９４０が得ると予期することができるかを反映する測定を報告することができる。
【００４８】
[0064]別の態様では、ネットワークは、クラスタのスモールセルの各々に関してある特定のリソース（例えば、時間−周波数リソース）上の制限された送信レートを計算することができる。ネットワークは、スモールセルクラスタバックホール上でのＵＥ測定のメッセージパス（message-passing）を介して制限された送信レートを計算することができる。一態様では、スモールセルの各々は、異なるリソースのセット上で異なる制限された送信レートを有することができる。そのようなリソースのセットは、低減レートリソース（reduced-rate resources）と呼ばれうる。スモールセルはその後、ネットワークが所与のスモールセルに関して決定したある特定の低減レートリソース上での制限されたレートを設定することができる。ネットワークは、ＵＥのこれらのリソースおよび制限された送信レートをシグナリングすることができ、これは、低減レートリソース上でこれらのセルを除去することができる。
【００４９】
[0065]一例では、サービス提供セル９３０は、ＵＥｉ９４０に、ＵＥｉ９４０の優性干渉物９１０の低減レートリソースおよび制限された送信レートをシグナリングする。ＵＥｉ９４０はその後、優性干渉物の低減レートリソース上で干渉送信を除去することを試みることができる。
【００５０】
[0066]別の例では、ＵＥｉ９４０は、ネットワークに除去結果の統計を戻すように報告することができる。一態様では、ネットワークは、これらの統計に基づいて、スモールセル制限された送信レートおよび低減レートリソースを順応的に設定することができる。
【００５１】
[0067]測定および関連するリンクメトリックに関するさらなる例が以下で提供されている。一態様では、干渉は、信号対干渉および雑音比（ＳＩＮＲ）にしたがって測定される。関連するリンクメトリックの例は、以下を含む：
ＳＩＮＲ（ｉ）：すべての干渉物を含む、ユーザｉにおけるＳＩＮＲ。
ＳＩＮＲ−１（ｉ）：最も強力な干渉物（例えば、最高電力の干渉物）を取り除いた後の、ユーザｉにおけるＳＩＮＲ。例えば、比の分母の項は、１つの最も強力な干渉物を除いたすべての干渉物を含む。
ＳＩＮＲＳＩ（ｉ）：ユーザｉにおける最も強力な干渉物のＳＩＮＲ。例えば、比の分母の項は、サービス提供セルの受信された電力を含む。
ＳＩＮＲＳＩ−０（ｉ）：サービス提供セルを取り除いた後の、ユーザｉにおける最も強力な干渉物のＳＩＮＲ、例えば、干渉物の残りに雑音を加えたものに対する最も強力な干渉物の電力比。
【００５２】
[0068]一態様では、優性干渉物は、リンクメトリックＳＩＮＲＳＩ−０（ｉ）がしきい値Ｔ１を超える場合、ユーザｉに対する干渉物でありうる。別の態様では、干渉物の除去が、しきい値Ｔ２を超えたＳＩＮＲ（または他の信号メトリック）に利得（例えば、改善（improvements））をもたらすとき、優性干渉物はユーザに対する干渉物である。例えば、以下が保たれる場合、干渉物はユーザｉにとって重大である：
ＳＩＮＲ−１（ｉ）−ＳＩＮＲ（ｉ）＞Ｔ２
[0069]干渉除去のためにＵＥによって実行される測定の例が以下で提示される。一態様では、これらの測定は、長期測定である。測定は、長期ＳＩＮＲ（ｉ）を含むことができる。例えば、無線リソース管理（ＲＲＭ）の一部として、ＵＥは、サービス提供セルからの基準信号受信品質（ＲＳＲＱ）から長期ＳＩＮＲ（ｉ）を概算することができる。サービス提供セルへの測定報告は、最も強力な干渉物（ＳＩ）セルＩＤおよびＳＩＮＲＳＩを含むことができる。例えば、ＲＲＭの一部として、ＵＥは、最も強力な干渉物に関してＲＳＲＱからＳＩＮＲＳＩを概算することができる。
【００５３】
[0070]別の態様では、干渉除去のためにＵＥによって実行される測定は、優性干渉物に関する（例えば、（bits/s）／Ｈｚの単位の）最大レートＲｍａｘＳＩを含むことができ、ここにおいてＲｍａｘＳＩは、ＵＥが優性干渉物を依然として除去することができる優性干渉物に関する最大送信レートを表す。例として、最大レートは、最大ＭＣＳ、最大ＭＯ（変調順序）、またはランク制限を指しうる。
【００５４】
[0071]一態様では、最大レートＲｍａｘＳＩは、ＵＥの能力に応じる（例えば、ある特定のより高度なＵＥは、より旧式のＵＥよりも干渉除去の能力をより有する）。例えば、ＵＥが制限された送信レートを含む、結合干渉除去スキームを適用する場合、除去は向上しうる。
【００５５】
[0072]別の態様では、最大レートＲｍａｘＳＩは粗、および／または予定レート（projected rate）でありうる。これことにより、システムを最初に開始する（例えば、ブーストラップする、起動する）ことを許容する。一度プロセスが開始されると、送信レートは、最大レートＲｍａｘＳＩをさらに精密にする（refine）ために（例えば、反復して、または閾値比較によって）調節されうる。
【００５６】
[0073]別の態様では、干渉除去のためにＵＥによって実行される測定は、干渉を除去することからの利得（例えば、改善）を含むことができる。一例では、利得は、ＳＩＮＲ−１（ｉ）−ＳＩＮＲ（ｉ）として表現されうる。別の例では、ＳＩＮＲ−１（ｉ）−ＳＩＮＲ（ｉ）の値は、以下のように測定または算出され：
【００５７】
【数１】
2016536835.tif 000003
【００５８】
ここにおいて、Ｉｎｔｆｉという項は、受信された電力の降順で分類される。一態様では、これらの値は、共通基準信号（ＣＲＳ）トーン上で測定されたフィルタされた値である。他の例では、チャネル強度は、チャネル状態情報基準信号（ＣＳＵ−ＲＳとして知られる）で測定され得、干渉は、干渉測定リソース（ＩＭＲとして知られる）で測定されうる。
【００５９】
[0074]ネットワークは、種々のセルへの基準信号受信電力（ＲＳＲＰ）報告からＳＩＮＲ−１（ｉ）−ＳＩＮＲ（ｉ）値を推測することができるが、そのような推測された値は、非対称セル負荷に起因して正確でないことがある。一態様では、セル強度および負かを報告するＵＥは、これらの値を決定することができる。一例では、第２の干渉物が時間の５０％ローディングされるとＵＥが測定することができる場合、上記の数式における容量Ｉｎｔｆ２は、０．５＊Ｉｎｔｆ２によって置き換えられうる。この例は、発見的スキームの１つであり、他のオプションもまた可能である。したがって、ＳＩＮＲ−１（ｉ）−ＳＩＮＲ（ｉ）は概して、干渉セルのローディングに依存しうる。
【００６０】
[0075]一態様では、測定は、選択されたサブフレーム（基準サブフレーム）上で実行される。一態様では、ネットワークは、これらの測定が実行されることになるサブフレームのサブセットをＵＥにシグナリングすることができる。例えば、干渉物がＡＢＣサブフレームとして構成されたある特定のサブフレームを有する場合、ＵＥは、これらのサブフレーム上に干渉送信が送信しないことになるので、測定のためにこれらのサブフレームを使用しないように指示されうる。一態様では、測定された容量は、フィルタされた値、または累積値であり、したがってそれらは、短期間変化（例えば、サブフレームレベルの精度でのＳＩＮＲ変化）を反映しないことがある。したがって、すべてのサブフレームが、上で提示された算出および測定に役立つわけではないことがある。例えば、ある１つが干渉物を測定しようと試みる場合、ある１つは、干渉物が存在するサブフレームを使用する必要があるだろう。この方法では、（例えば、ＳＩＮＲ−１（ｉ）−ＳＩＮＲ（ｉ）のための）上記の算出は、上では、干渉送信がないサブフレームの測定を考慮に入れることができる。
【００６１】
[0076]一態様では、ＵＥは、Ｌ３シグナリング（例えば、ＰＵＳＣＨ）を使用して測定を報告することができる。別の例では、ＵＥは、非周期的なＬ２およびＬ１シグナリングを使用して測定を報告することができる。
【００６２】
[0077]ネットワーク通信および報告の例は以下で提示される。一態様では、クラスタのスモールセルは、以下の値のうちの少なくとも１つを計算するためにバックホール通信を介して協同することができる。例えば、スモールセルごとに、計算された値は低減レートリソースを含むことができる。低減レートリソースは、所与のスモールセルが制限された送信レートで送信する時間−周波数リソース（例えば、サブバンドおよび／またはサブフレーム）のサブセットでありうる。一例では、低減レートリソースは、サブフレームレベルの精度にありうる（例えば、Ｍつのサブフレーム分のＮつは、低減レートを有するように構成される）。当業者によって理解されることになるように、本開示の範囲は、提供されている例によって限定されない。例えば、スモールセルの干渉が例として使用される一方で、本開示の範囲は、例えば、マクロセルからの干渉を含むことができる。
【００６３】
[0078]一例では、ＵＥは、低減レートリソース上で制限された送信レートで送られた干渉送信を受信しうる。制限は、最大ＭＣＳ（インデックス）、最大ＭＯ（変調順序）、または送信ランク制限の単位で送信レートに適用されうる。
【００６４】
[0079]別の態様では、ＵＥのサービス提供セルは、ＵＥに低減レートリソース（例えば、優性干渉物が低減レート送信を有するリソース）をシグナリングすることができる。例えば、低減レートリソースがサブフレームレベルの精度で動作し、制限が最大ＭＣＳインデックスの単位にある場合、サービス提供セルは、優性干渉物（例えば、物理セルＩＤ）および／または優性干渉物上で構成された低減レートサブフレームを、（例えば、無線リソース制御、すなわちＲＲＣを介して）ＵＥにシグナリングすることができる。シグナリングは、（低減レートサブフレームを示す）ビットマップ、または（リソース制限の組み合わせを識別する複数の予め決定された、またはシグナリングされた構成のうちからの）構成インデックスを使用することができる。
【００６５】
[0080]一態様では、サービス提供セルからのシグナリングは、ＵＥの電力を節約するのに役立つ。例えば、サービス提供セルからのシグナリングの結果として、ＵＥは、すべてのサブフレーム上で、干渉をブラインド検出／推定する必要はない。
【００６６】
[0081]別の態様では、ＵＥは、干渉除去に関するフィードバックをネットワークに提供する。ＵＥは、除去性能の統計を周期的に報告することができる。例えば、ＵＥは、優性干渉物の除去の成功比を報告することができる。その報告は、ＵＥが低減レートリソース上で干渉物を除去したかどうかの２値情報でありうる。さらにＵＥは、除去から観測された潜在的なリンク利得をネットワークに報告することができる。一態様では、フィードバックは粗であるか、概算されうる。一態様では、これらの測定は、ネットワークによって、低減レートリソースおよび制限された送信レートに関するその判定を順応させるために使用されうる。
【００６７】
[0082]別の態様では、クラスタ内のスモールセルは、ジグザグ状に制限された送信レートで送信することができる。図１０は、１つのそのような例を例示している。図１０は、ピコセルＰ１、Ｐ２、Ｐ３、およびＰ４を例示している。セルＰ１は、制限されたレート信号を送信する。セルＰ２−Ｐ４は、通常（regular）レート信号およびＣＷＩＣ有効レート信号を送信する。ＵＥラベル付のＩＣは、ＣＷＩＣを実行する。図示されているように、各ピコセルは、非重複の形で、１つのサブフレーム上で制限された送信レートで送信する。この例では、低減レートリソースは、ＡＢＳ（例えば、０レートを搬送するサブフレーム、すなわちどのデータもスケジュールされない）に対応する。ピコセルＰ１は、サブフレームＴ１において制限された送信レートで送信する。その後、Ｐ２、Ｐ３、およびＰ４は次に、サブフレームＴ２−Ｔ４において順次送信する。図１０で図示されているように、サブフレームＴ１−Ｔ４は時間においてジグザグ状である（例えば、サブフレームＴ１−Ｔ４は重複しない）。
【００６８】
[0083]別の態様では、各ピコセルは、それ自身の制限された送信レート（Ｒｃ）で計算および送信することができる。制限された送信レート（Ｒｃ）を計算することのいくつかの例が以下で提示される。ＲＣの値の選択においてトレードオフが存在する。例えば、Ｒｃのより低い値は、干渉除去を適用することができるより多い数のユーザを提供することができるが、ピコセルによってサービス提供されるユーザではより高い損失を提供しうる。
【００６９】
[0084]一態様では、Ｒｃは、ＵＥがそれが復号できると報告する干渉物の最大レートＲｍａｘＳＩを使用して算出される。算出の例は以下を含む：
―最小Ｒｃ：Ｒｃは、ピコセルによって干渉されるすべてのユーザの最小ＲｍａｘＳＩ値が選択されるように選択される。
―最大Ｒｃ：Ｒｃは、ピコセルによって干渉されるすべてのユーザの最大ＲｍａｘＳＩ値が選択されるように選択される。したがって、１人のユーザのみが干渉除去を適用することができる。
―平均／中間Ｒｃ：Ｒｃは、ピコセルによって干渉されるすべてのユーザの平均／中間ＲｍａｘＳＩ値が選択されるように選択される。
―ｘ％後部Ｒｃ：Ｒｃは、ピコセルによって干渉されるユーザのＳＩＮＲＳＩ累積分布関数のｘ％に対応するＲｍａｘＳＩ値が選択されるように選択される。
―しきい値Ｒｃ：Ｒｃは、ユーザのセットに関する最小ＲｍａｘＳＩが選択されるように選択される。そのセットは、ある特定のしきい値よりも大きい干渉除去利得（例えば、ＳＩＮＲ−１（ｉ）−ＳＩＮＲ（ｉ））を有するユーザを含む。
【００７０】
[0085]図１１は、ＵＥとサービス提供セルとの間のシグナリングの例を例示している。図９を参照すると、シグナリングは、サービス提供セル９３０とＵＥｉ９４０との間にありうる。
【００７１】
[0086]１１１０において、ＵＥは、（長期ＳＩＮＲ統計のような）測定結果を（例えば、サービス提供セル９３０を介して）ネットワークに報告する。例えば、ＵＥｉ９４０は、（長期ＳＩＮＲ統計のような）ある特定の測定を実行し、制限された送信レートの計算のために、その測定結果をサービス提供セル９３０に報告することができる。一態様では、ＵＥｉ９４０は、最も強力な干渉物が他の干渉物に対してどれ程優性であるか、および／または最も強力な干渉物（例えば、干渉の重み）を除去することからどれ程の利得をＵＥｉ９４０が得ると予期することができるかを反映する測定を報告することができる。
【００７２】
[0087]１１２０において、サービス提供セルは、低減レートリソースおよび／または制限された送信レートをＵＥにシグナリングする。例えば、ネットワークは、クラスタのスモールセルの各々に関してある特定のリソース（例えば、時間−周波数リソース）上の制限された送信レートを計算することができる。ネットワークは、スモールセルクラスタバックホール上でのＵＥ測定のメッセージパスを介して制限された送信レートを計算することができる。一態様では、スモールセルの各々は、異なるリソースのセット上で異なる制限された送信レートを有することができる。そのようなリソースのセットは、低減レートリソースと呼ばれうる。サービス提供セル９３０は、低減レートリソースおよび／または制限された送信レートの指示をＵＥｉ９４０にシグナリングし、ＵＥｉ９４０は、低減レートリソースおよび／または制限された送信レートの受信された指示に基づいて、干渉送信を除去することができる。
【００７３】
[0088]１１３０において、ＵＥは、干渉除去の結果に基づいて統計を報告する。例えば、ＵＥｉ９４０は、低減レートリソースおよび／または制限された送信レートの受信された指示に基づいて、干渉除去の結果の統計を報告することができる。上で提示されたように、プロセスは反復的であり得、ネットワークは、低減レートリソースおよび／または制限された送信レートをさらに精密にするために報告された統計を使用することができる。
【００７４】
[0089]図１２は、ワイヤレス通信の方法のフローチャート１２００である。方法は、少なくとも１つのＵＥによって実行されうる。点線で示されるステップはオプションのステップを表すと理解されるべきである。この方法により、ＵＥは干渉送信を効率的に除去することができるようになりうる。
【００７５】
[0090]ステップ１２０２において、ＵＥは、サービス提供セルからの送信および少なくとも１つの第１の干渉送信を含む信号を受信する。図９を参照すると、例えば、ＵＥｉ９４０は、サービス提供セル９３０からの送信および干渉セル９１０からの干渉送信を受信する。
【００７６】
[0091]ステップ１２０４において、第１の干渉送信に関連付けられる、制限された送信レートが決定される。例えば、ネットワークは、クラスタのスモールセルの各々に関してある特定のリソース（例えば、時間−周波数リソース）上の制限された送信レートを計算することができる。ネットワークは、スモールセルクラスタバックホール上でのＵＥ測定のメッセージパスを介して制限された送信レートを計算することができる。ある態様では、制限された送信レートは、ＵＥｉ９４０における第１の干渉送信の除去を容易にするための低減送信レートである。サービス提供セル９３０は、ＵＥｉ９４０に制限された送信レートをシグナリングすることができる。一例では、ＵＥｉ９４０は、サービス提供セル９３０から受信された情報に基づいて、優性干渉セル９１０の制限された送信レートを決定する。
【００７７】
[0092]ステップ１２０６において、第１の干渉送信が受信される優性干渉セルの１つまたは複数の低減レートリソースが決定される。例えば、ネットワークは、クラスタのスモールセルの各々に関してある特定のリソース（例えば、時間−周波数リソース）上の制限された送信レートを計算することができる。ネットワークは、スモールセルクラスタバックホール上でのＵＥ測定のメッセージパスを介して制限された送信レートを計算することができる。一態様では、スモールセルの各々は、異なるリソースのセット上で異なる制限された送信レートを有することができる。そのようなリソースのセットは、低減レートリソースと呼ばれうる。サービス提供セル９３０は、制限された送信レートおよび１つまたは複数の低減レートリソースの指示をＵＥｉ９４０にシグナリングすることができる。一例では、ＵＥｉ９４０は、サービス提供セル９３０から受信された情報に基づいて、１つまたは複数の低減レートリソースを決定することができる。
【００７８】
[0093]ステップ１２０８において、ＵＥは、制限された送信レートに基づいて、受信された信号から第１の干渉送信を除去する。優性干渉物を除去または軽減することは、サービス提供リンクの信頼性／リンク容量を向上させることができる。「除去」という用語は、干渉信号を除去および／または軽減することを指すために使用されうる。干渉除去または軽減は、例えばコードワードレベル干渉除去（ＣＷＩＣ）の方法、シンボルレベル干渉除去（ＳＬＩＣ）の方法を介して、またはオールモストブランクサブフレーム（ＡＢＳ）の方法を使用して、実行されうる。
【００７９】
[0094]ステップ１２１０において、ＵＥは、第１の干渉送信の除去の成功レートを示す統計をサービス提供セルに報告する。例えば、ＵＥｉ９４０は、サービス提供セル９３０に除去性能の統計を周期的に報告することができる（サービス提供セル９３０はその後、ネットワークに情報を中継することができる）。例えば、ＵＥｉ９４０は、優性干渉物９１０の除去の成功比を報告することができる。その報告は、ＵＥｉ９４０が低減レートリソース上で干渉物を除去したかどうかの２値情報でありうる。さらに、ＵＥｉ９４０は、除去から観測された潜在的なリンク利得をサービス提供セル９３０に報告することができる。一態様では、フィードバックは粗であるか、概算されうる。一態様では、これらの測定は、サービス提供セル９３０によって、低減レートリソースおよび制限された送信レートに関するその判定を順応させるために使用されうる。
【００８０】
[0095]ステップ１２１２において、ＵＥは、１つまたは複数の干渉セルからの干渉送信に対して測定を実行する。ステップ１２１４において、その測定はサービス提供セルに報告される。例えば、ＵＥｉ９４０は、（長期ＳＩＮＲ統計のような）ある特定の測定を実行し、制限された送信レートの計算のために、その測定結果をサービス提供セル９３０に報告することができる。一態様では、ＵＥｉ９４０は、Ｌ３シグナリング（例えば、ＰＵＳＣＨ）を使用して測定を報告することができる。別の例では、ＵＥｉ９４０は、非周期的なＬ２およびＬ１シグナリングを使用して測定を報告することができる。
【００８１】
[0096]図１３は、ワイヤレス通信の方法のフローチャート１３００である。点線で示されるステップはオプションのステップを表すと理解されるべきである。この方法は、ネットワークにおいてｅＮＢによって実行されうる。
【００８２】
[0097]ステップにおいてｅＮＢは、１つまたは複数のリソース上での送信のために制限された送信レートを決定する。図９を参照すると、例えば、ｅＮＢは、１つまたは複数のリソース上での送信（例えば、優性干渉セル９１０からの干渉送信）のための制限された送信レートを決定する。例えば、ｅＮＢは、クラスタのスモールセルの各々に関してある特定のリソース（例えば、時間−周波数リソース）上の制限された送信レートを計算することができる。ｅＮＢは、スモールセルクラスタバックホール上でのＵＥ測定のメッセージパスを介して制限された送信レートを計算することができる。一態様では、スモールセルの各々は、異なるリソースのセット上で異なる制限された送信レートを有することができる。そのようなリソースのセットは、低減レートリソースと呼ばれうる。
【００８３】
[0098]ステップ１３０３において、ｅＮＢは、送信のために低減レートリソースを決定する。例えば、低減レートリソースは、所与のスモールセルが制限された送信レートで送信する時間−周波数リソース（例えば、サブバンドおよび／またはサブフレーム）のサブセットでありうる。一例では、低減レートリソースは、サブフレームレベルの精度にありうる（例えば、Ｍつのサブフレーム分のＮつは、低減レートを有するように構成される）。
【００８４】
[0099]ステップ１３０４において、ｅＮＢは、その制限された送信レートをユーザ機器（ＵＥ）にシグナリングする。例えば、ｅＮＢは、ＵＥｉ９４０に制限された送信レートを、サービス提供セル９３０を介してシグナリングすることができる。ＵＥｉ９４０は、制限された送信レートに基づいて干渉送信を除去することができる。ある態様では、制限された送信レートは、ＵＥｉ９４０における送信の除去を容易にするための低減送信レートである。ある態様では、制限された送信レートは、ＵＥｉ９４０からの測定に基づいて決定される。ある態様では、測定は、少なくともＵＥｉ９４０において受信された第２の送信よりも実質的に強力な干渉を引き起こすことを示す。ある態様では、測定はさらに、ＵＥｉ９４０において受信された信号からの送信の除去の後にＵＥｉ９４０によって予期される利得をさらに示す。
【００８５】
[00100]ステップ１３０５において、制限された送信レートに基づく送信はＵＥに送られる。例えば、優性干渉物９１０は、ＵＥｉ９４０に、制限された送信レートに基づいてその送信を送ることができる。ＵＥｉ９４０は、制限された送信レートに基づいて、受信された信号から（干渉）送信を除去することができる。優性干渉物を除去または軽減することは、サービス提供リンクの信頼性／リンク容量を向上させることができる。「除去」という用語は、干渉信号を除去および／または軽減することを指すために使用されうる。干渉除去または軽減は、例えばコードワードレベル干渉除去（ＣＷＩＣ）の方法、シンボルレベル干渉除去（ＳＬＩＣ）の方法を介して、またはオールモストブランクサブフレーム（ＡＢＳ）の方法を使用して、実行されうる。
【００８６】
[00101]ステップ１３０６において、ｅＮＢは、ＵＥにおいて受信された信号からの送信の除去の成功レートを示す統計をＵＥから受信する。例えば、ＵＥｉ９４０は、サービス提供セル９３０に除去性能の統計を周期的に報告することができる。例えば、ＵＥｉ９４０は、優性干渉物９１０の除去の成功比を報告することができる。その報告は、ＵＥｉ９４０が低減レートリソース上で干渉物を除去したかどうかの２値情報でありうる。さらに、ＵＥｉ９４０は、除去から観測された潜在的なリンク利得をサービス提供セル９３０を介して報告することができる。一態様では、フィードバックは粗であるか、概算されうる。一態様では、これらの測定は、ｅＮＢによって、低減レートリソースおよび制限された送信レートに関するその判定を順応させるために使用されうる。
【００８７】
[00102]図１４は、実例的な装置１４０２において異なるモジュール／手段／コンポーネント間のデータフローを例示している概略的なデータフロー図１４００である。その装置は、ＵＥでありうる。装置は、受信モジュール１４０４、測定モジュール１４０８、報告モジュール１４１０、決定モジュール１４１２、除去モジュール１４１４、および送信モジュール１４１６を含む。
【００８８】
[00103]受信モジュール１４０４は、サービス提供セル（例えば、ｅＮＢ１４５０）から信号を受信し、１つまたは複数の干渉セル（例えば、ｅＮＢ１４５１）から少なくとも１つの第１の干渉送信を受信する。受信モジュール１４０４は、測定モジュール１４０８に受信された信号情報１４０６を提供する。測定モジュール１４０８は、１つまたは複数の干渉セル（例えば、ｅＮＢ１４５１）からの干渉送信に対して測定を実行し、報告モジュール１４１０に測定結果１４０９を提供する。
【００８９】
[00104]受信モジュール１４０４はさらに、受信された信号上で、（例えば、ｅＮＢ１４５１のような干渉セルの）１つまたは複数の低減レートリソースの指示および制限された送信レートに関する構成情報を受信する。受信モジュール１４０４は、制限された送信レートおよび１つまたは複数の低減レートリソースの指示に関する情報（１４０７）を決定モジュール１４１２に提供する。決定モジュール１４１２は、情報１４０７に基づいて、優性干渉セルの制限された送信レートおよび／または優性干渉セルの１つまたは複数の低減レートリソースを決定し、除去モジュール１４１４に決定された優性干渉セル情報１４１３を提供する。除去モジュール１４１４は、制限された送信レートに基づいて、受信された信号から第１の干渉送信を除去し、報告モジュール１４１０に除去情報１４１５を提供する。報告モジュール１４１０は、測定をネットワークに報告し、および／または第１の干渉送信の除去の成功レートを示す統計をネットワークに報告する。報告モジュール１４１０は、例えば、ｅＮＢ１４５０へのアップリンクのために送信モジュールに報告情報１４１１を提供する。
【００９０】
[00105]装置は、上述の図１２のフローチャートにおけるアルゴリズムのステップの各々を実行する追加のモジュールを含むことができる。このように、上述の図１２のフローチャートにおける各ステップはモジュールによって実行され得、その装置はそれらのモジュールのうちの１つまたは複数を含むことができる。モジュールは、述べられたプロセス／アルゴリズムを実行するように特に構成されるか、述べられたプロセス／アルゴリズムを実行するように構成されたプロセッサによって実装されるか、プロセッサによる実装のためにコンピュータ可読媒体内に記憶されるか、またはそれらの何らかの組み合わせの、１つまたは複数のハードウェアコンポーネントでありうる。
【００９１】
[00106]図１５は、処理システム１５１４を用いる装置１４０２’のためのハードウェア実装の例を例示している図１５００である。処理システム１５１４は、バス１５２４により一般に表されるバスアーキテクチャで実装されうる。バス１５２４は、処理システム１５１４の特定のアプリケーションおよび全設計制限に依存して、任意の数の相互接続するバスおよびブリッジを含むことができる。バス１５２４は、プロセッサ１５０４、モジュール１４０４、１４０８、１４１０、１４１２、および１４１４、ならびにコンピュータ可読媒体／メモリ１５０６によって表される、１つまたは複数のプロセッサおよび／またはハードウェアモジュールを含む様々な回路を互いにリンクさせる。バス１５２４はまた、タイミングソース、周辺機器、電圧レギュレータ、および電力管理回路のような様々な他の回路をリンクさせることができ、これらは当該技術分野では周知であり、そのためこれ以上説明されない。
【００９２】
[00107]処理システム１５１４は、トランシーバ１５１０に結合されうる。トランシーバ１５１０は、１つまたは複数のアンテナ１５２０に結合される。トランシーバ１５１０は、送信媒体をわたって様々な他の装置と通信するための手段を提供する。トランシーバ１５１０は、１つまたは複数のアンテナ１５２０から信号を受信し、受信された信号から情報を抽出し、抽出された情報を処理システム１５１４に、特に受信モジュール１４０４に、提供する。加えて、トランシーバ１５１０は、処理システム１５１４、特に送信モジュール１４１６から情報を受信し、その受信された情報に基づいて、１つまたは複数のアンテナ１５２０に適用されるべき信号を生成する。処理システム１５１４は、コンピュータ可読媒体／メモリ１５０６に結合されたプロセッサ１５０４を含む。プロセッサ１５０４は、コンピュータ可読媒体／メモリ１５０６に記憶されたソフトウェアの実行を含む一般的な処理を担う。このソフトウェアは、プロセッサ１５０４によって実行されるとき、処理システム１５１４に、あらゆる特定の装置に関して上で説明された様々な機能を実行させる。コンピュータ可読媒体／メモリ１５０６はまた、ソフトウェアを実行するときにプロセッサ１５０４によって操作されるデータを記憶するために使用されうる。処理システムはさらに、モジュール１４０４、１４０８、１４１０、１４１２、および１４１４のうちの少なくとも１つを含む。これらのモジュールは、プロセッサ１５０４上で起動し、コンピュータ可読媒体／メモリ１５０６に存在／記憶されたソフトウェアモジュールか、プロセッサ１５０４に結合された１つまたは複数のハードウェアモジュールか、またはそれらの何らかの組み合わせでありうる。処理システム１５１４は、ＵＥ６５０のコンポーネントであり得、メモリ６６０ならびに／、ＴＸプロセッサ６６８、ＲＸプロセッサ６５６、およびコントローラ／プロセッサ６５９のうちの少なくとも１つ、を含むことができる。
【００９３】
[00108]一構成では、ワイヤレス通信のための装置１４０２／１４０２’は、ＵＥにおいて信号を受信するための手段と、ＵＥにおいてサービス提供セルからの送信および少なくとも１つの第１の干渉送信を含む、信号を受信するための手段と、第１の干渉送信に関連付けられた制限された送信レートを決定するための手段と、制限された送信レートに基づいて受信された信号から第１の干渉送信を除去するための手段と、１つまたは複数の干渉セルからの干渉送信に対して測定を実行するための手段と、サービス提供セルにその測定を報告するための手段と、第１の干渉送信が受信される１つまたは複数の低減レートリソースを決定するための手段と、第１の干渉送信の除去の成功レートを示す統計をサービス提供セルを報告するための手段と、を含む。上述の手段は、上述の手段によって記載された機能を実行するように構成された装置１４０２’の処理システム１５１４および／または装置１４０２の上述のモジュールのうちの１つまたは複数でありうる。上で説明されたように、処理システム１５１４は、ＴＸプロセッサ６６８、ＲＸプロセッサ６５６、およびコントローラ／プロセッサ６５９を含むことができる。このように、一構成において上述の手段は、上述の手段によって記載された機能を実行するように構成されたＴＸプロセッサ６６８、ＲＸプロセッサ６５６、コントローラ／プロセッサ６５９でありうる。
【００９４】
[00109]図１６は、実例となる装置１６０２において異なるモジュール／手段／コンポーネント間のデータフローを例示している概略的なデータフロー図１６００である。その装置は、ｅＮＢでありうる。装置は、受信モジュール１６０４、決定モジュール１６０６、および送信モジュール１６０８を含む。受信モジュール１６０４は、ＵＥ１６５０において受信された信号からの送信の除去（例えば、優性干渉セル１６７０からの干渉送信１６７１の除去）の成功レートを示す、例えばＵＥ１６５０からの統計、および／または、（長期ＳＩＮＲ統計のような）測定結果を含む信号を受信する。ｅＮＢは、ＵＥ１６５０のサービス提供セルを介してＵＥ１６５０から信号を受信することができる。受信モジュール１６０４は、決定モジュール１６０６に統計または測定情報１６０５を提供する。決定モジュール１６０６は、受信された統計または測定情報に基づいて、１つまたは複数のリソース上の干渉送信１６７１に関する制限された送信レートを決定する。決定モジュール１６０６はさらに、送信のために低減レートリソースを決定することができる。決定モジュール１６０６は、送信モジュール１６０８に制限された送信レートおよび／または低減レートリソース情報１６０７を提供する。送信モジュール１６０８はＵＥ１６５０にダウンリンクし、ＵＥ１６５０に送信レートを提供する。
【００９５】
[00110]装置は、上述の図１３のフローチャートにおけるアルゴリズムのステップの各々を実行する追加のモジュールを含むことができる。このように、上述の図１３のフローチャートにおける各ステップはモジュールによって実行され得、装置はそれらのモジュールのうちの１つまたは複数を含むことができる。モジュールは、述べられたプロセス／アルゴリズムを実行するように特に構成されるか、述べられたプロセス／アルゴリズムを実行するように構成されたプロセッサによって実装されるか、プロセッサによる実装のためにコンピュータ可読媒体内に記憶されるか、またはそれらの何らかの組み合わせの、１つまたは複数のハードウェアコンポーネントでありうる。
【００９６】
[00111]図１７は、処理システム１７１４を用いる装置１６０２’のためのハードウェア実装の例を例示している図１７００である。処理システム１７１４は、バス１７２４により一般に表されるバスアーキテクチャで実装されうる。バス１７２４は、処理システム１７１４の特定のアプリケーションおよび全設計制限に依存して、任意の数の相互接続するバスおよびブリッジを含むことができる。バス１７２４は、プロセッサ１７０４、モジュール１６０４、１６０６、および１６０８、ならびにコンピュータ可読媒体／メモリ１７０６によって表される、１つまたは複数のプロセッサおよび／またはハードウェアモジュールを含む様々な回路を互いにリンクさせる。バス１７２４はまた、タイミングソース、周辺機器、電圧レギュレータ、および電力管理回路のような様々な他の回路をリンクさせることができ、これらは当該技術分野では周知であり、そのためこれ以上説明されない。
【００９７】
[00112]処理システム１７１４は、トランシーバ１７１０に結合されうる。トランシーバ１７１０は、１つまたは複数のアンテナ１７２０に結合される。トランシーバ１７１０は、送信媒体をわたって様々な他の装置と通信するための手段を提供する。トランシーバ１７１０は、１つまたは複数のアンテナ１７２０から信号を受信し、受信された信号から情報を抽出し、抽出された情報を処理システム１７１４に、特に受信モジュール１６０４に、提供する。加えて、トランシーバ１７１０は、処理システム１７１４、特に送信モジュール１６０８から情報を受信し、その受信された情報に基づいて、１つまたは複数のアンテナ１７２０に適用されるべき信号を生成する。処理システム１７１４は、コンピュータ可読媒体／メモリ１７０６に結合されたプロセッサ１７０４を含む。プロセッサ１７０４は、コンピュータ可読媒体／メモリ１７０６に記憶されたソフトウェアの実行を含む一般的な処理を担う。このソフトウェアは、プロセッサ１７０４によって実行されるとき、処理システム１７１４に、あらゆる特定の装置に関して上で説明された様々な機能を行わせる。コンピュータ可読媒体／メモリ１７０６はまた、ソフトウェアを実行するときにプロセッサ１７０４によって操作されるデータを記憶するために使用されうる。処理システムはさらに、モジュール１６０４、１６０６、および１６０８のうちの少なくとも１つを含む。これらのモジュールは、プロセッサ１７０４上で起動し、コンピュータ可読媒体／メモリ１７０６に存在／記憶されたソフトウェアモジュールか、プロセッサ１７０４に結合された１つまたは複数のハードウェアモジュールか、またはそれらの何らかの組み合わせでありうる。処理システム１７１４は、ｅＮＢ６１０のコンポーネントであり得、メモリ６７６および／またはＴＸプロセッサ６１６、ＲＸプロセッサ６７０、およびコントローラ／プロセッサ６７５のうちの少なくとも１つを含むことができる。
【００９８】
[00113]一構成では、ワイヤレス通信のための装置１６０２／１６０２’は、１つまたは複数のリソース上での送信のために制限された送信レートを決定するための手段と、送信のために低減レートリソースを決定するための手段と、その制限された送信レートをＵＥにシグナリングするための手段と、その制限された送信レートに基づいて、ＵＥにおいて受信された信号に干渉を引き起こす送信を送るための手段と、ＵＥにおいて受信された信号からの送信の除去の成功レートを示す統計をＵＥから受信するための手段と、を含む。上記の手段は、上記の手段によって記載された機能を実行するよう構成された装置１６０２’の処理システム１７１４および／または装置１６０２の上記のモジュールのうちの１つまたは複数でありうる。上で説明されたように、処理システム１７１４は、ＴＸプロセッサ６１６、ＲＸプロセッサ６７０、およびコントローラ／プロセッサ６７５を含むことができる。このように、一構成において上述の手段は、上述の手段によって記載された機能を実行するように構成されたＴＸプロセッサ６１６、ＲＸプロセッサ６７０、コントローラ／プロセッサ６７５でありうる。
【００９９】
[00114]開示されているプロセスにおけるステップの指定の順序または階層は、実例的な手法の例示であることが理解される。設計の選好に基づいて、プロセスにおけるステップの指定の順序または階層は並べ替えられうることが理解される。さらに、いくつかのステップは、組み合わされうるか、または省略されうる。添付の方法の請求項はサンプルの順序で様々なステップの要素を提示し、提示されている指定の順序または階層に限定されるようには意図されていない。
【０１００】
[00115]先の説明は、あらゆる当業者が本明細書で説明されている様々な態様を実施することを可能にするように提供されている。これらの態様への様々な変更は当業者には容易に明らかになり、本明細書で定義されている包括的な本質は他の態様に適用されうる。したがって、請求項は、本明細書で示されている態様に限定されるようには意図されていないけれども、請求項の用語と一貫した最大範囲を与えられるものとし、ここにおいて、単数の要素に対する参照は、「１つおよび１つだけ」を、そのように特別に述べられない限りは意味するように意図されておらず、むしろ「１つまたは複数」を意味するように意図されている。「実例的」という言葉は、「例、事例、または例示としての役目をする」を意味するように本明細書では使用されている。「実例的」として本明細書で説明されているあらゆる態様は、必ずしも、他の態様よりも好ましい、または有利であると解釈されるものではない。他の方法で特別に述べられていない限り、「いくつか」という用語は、１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらのあらゆる組み合わせ」のような組み合わせは、Ａ、Ｂ、および／またはＣのいずれの組み合わせも含み、複数のＡ、複数のＢ、または、複数のＣを含むことができる。特に、「Ａ、Ｂ、またはＣのうちの少なくとも１つ」、「Ａ、Ｂ、およびＣのうちの少なくとも１つ」、および「Ａ、Ｂ、Ｃ、またはそれらのあらゆる組み合わせ」のような組み合わせは、Ａのみ、Ｂのみ、Ｃのみ、ＡとＢ、ＡとＣ、ＢとＣ、またはＡとＢとＣであり得、ここにおいてそのようなあらゆる組み合わせが、Ａ、Ｂ、またはＣの１つまたは複数のメンバを含むことができる。当業者に知られている、または後に知られることになる本開示全体で説明されている様々な態様の要素に対するすべての構造的および機能的な均等物は、参照によって本明細書に明確に組み込まれ、請求項によって包含されるように意図されている。さらに本明細書で開示されているものはどれも、そのような開示が請求項に明示的に記載されているかどうかに関わらず、公共に寄与されるようには意図されていない。どの請求項の要素も、その要素が「〜のための手段」という表現を使用して明確に記載されていない限り、ミーンズプラスファンクションとして解釈されるものではない。
【図１】
2016536835.tif 000004
【図２】
2016536835.tif 000005
【図３】
2016536835.tif 000006
【図４】
2016536835.tif 000007
【図５】
2016536835.tif 000008
【図６】
2016536835.tif 000009
【図７】
2016536835.tif 000010
【図８】
2016536835.tif 000011
【図９】
2016536835.tif 000012
【図１０】
2016536835.tif 000013
【図１１】
2016536835.tif 000014
【図１２】
2016536835.tif 000015
【図１３】
2016536835.tif 000016
【図１４】
2016536835.tif 000017
【図１５】
2016536835.tif 000018
【図１６】
2016536835.tif 000019
【図１７】
2016536835.tif 000020
【手続補正書】
【提出日】平成28年6月28日(2016.6.28)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
前記ＵＥにおいて信号を受信することと、前記受信された信号は、サービス提供セルからの送信および少なくとも１つの干渉送信を備え、前記少なくとも１つの干渉送信は、第１の干渉送信を含む、
前記第１の干渉送信に関連付けられる、制限された送信レートを前記ＵＥによって決定することと、
前記決定された制限された送信レートに基づいて前記第１の干渉送信を除去することと、
を備える方法。
【請求項２】
前記少なくとも１つの干渉送信を受信するよりも前に、前記サービス提供セルから構成情報を受信することをさらに備え、前記構成情報は、
前記第１の干渉送信が受信される１つまたは複数の低減レートリソースの指示と、
前記第１の干渉送信に関連付けられる、前記制限された送信レートと、
を少なくとも含む、請求項１に記載の方法。
【請求項３】
前記少なくとも１つの干渉送信に対して測定を実行することと、前記少なくとも１つの干渉送信は、１つまたは複数の干渉セルからのものである、
前記サービス提供セルに前記測定を報告することと、
をさらに備える、請求項１に記載の方法。
【請求項４】
前記１つまたは複数の干渉セルは、前記ＵＥにおいて受信された少なくとも１つの第２の干渉送信よりも実質的に強力な前記受信された信号への干渉を引き起こす、前記第１の干渉送信を送る優性干渉セルを含む、請求項３に記載の方法。
【請求項５】
前記測定はさらに、前記受信された信号から前記第１の干渉送信を除去した後に前記ＵＥによって予期される利得を示す、請求項４に記載の方法。
【請求項６】
前記第１の干渉送信が受信される１つまたは複数の低減レートリソースを決定することをさらに備え、前記１つまたは複数の低減レートリソースは、前記制限された送信レートで構成され、
前記受信された信号から前記第１の干渉送信を除去することは、前記１つまたは複数の低減レートリソースに対して実行される、請求項１に記載の方法。
【請求項７】
前記第１の干渉送信の前記除去の成功レートを示す統計を前記サービス提供セルに報告することをさらに備える、請求項１に記載の方法。
【請求項８】
ワイヤレス通信の方法であって、
第１の基地局から第１のユーザ機器（ＵＥ）への１つまたは複数のリソース上での送信のために制限された送信レートを決定することと、
前記第１の基地局とは異なる第２の基地局によってサービス提供される第２のＵＥに前記制限された送信レートをシグナリングすることと、
を備える、方法。
【請求項９】
前記制限された送信レートは、前記第２のＵＥからの測定に基づいて決定される、請求項８に記載の方法。
【請求項１０】
前記測定は、前記送信が前記第２のＵＥにおいて受信された少なくとも１つの第２の送信よりも実質的に強力な干渉を引き起こすことを示す、請求項９に記載の方法。
【請求項１１】
前記測定はさらに、前記第２のＵＥにおいて受信された信号からの送前記信の除去の後に前記第２のＵＥによって予期される利得を示す、請求項１０に記載の方法。
【請求項１２】
前記第２のＵＥにおいて受信された前記信号からの前記送信の前記除去の成功レートを示す統計を前記第２のＵＥから受信すること、
をさらに備える、請求項１１に記載の方法。
【請求項１３】
前記制限された送信レートに基づいて前記送信を前記第１のＵＥに送ることをさらに備える、請求項８に記載の方法。
【請求項１４】
前記送信のために低減レートリソースを決定することをさらに備える、請求項８に記載の方法。
【請求項１５】
ワイヤレス通信のためのユーザ機器（ＵＥ）であって、
前記ＵＥにおいて信号を受信するための手段と、前記受信された信号は、サービス提供セルからの送信および少なくとも１つの干渉送信を備え、前記少なくとも１つの干渉送信は、第１の干渉送信を含む、
前記第１の干渉送信に関連付けられる、制限された送信レートを決定するための手段と、
前記決定された制限された送信レートに基づいて、前記受信された信号から前記第１の干渉送信を除去するための手段と、
を備える、ＵＥ。
【請求項１６】
前記少なくとも１つの干渉送信を受信するよりも前に、前記サービス提供セルから構成情報を受信するための手段をさらに備え、前記構成情報は、
前記第１の干渉送信が受信される１つまたは複数の低減レートリソースの指示と、
前記第１の干渉送信に関連付けられる、前記制限された送信レートと、
を少なくとも含む、請求項１５に記載のＵＥ。
【請求項１７】
１つまたは複数の干渉セルからの干渉送信に対して測定を実行するための手段と、
前記サービス提供セルに前記測定を報告するための手段と、
をさらに備える、請求項１５に記載のＵＥ。
【請求項１８】
前記１つまたは複数の干渉セルは、前記ＵＥにおいて受信された少なくとも１つの第２の干渉送信よりも実質的に強力な前記受信された信号への干渉を引き起こす、前記第１の干渉送信を送る優性干渉セルを含む、請求項１７に記載のＵＥ。
【請求項１９】
前記測定はさらに、前記受信された信号から前記第１の干渉送信を除去した後に前記ＵＥによって予期される利得を示す、請求項１８に記載のＵＥ。
【請求項２０】
前記第１の干渉送信が受信される１つまたは複数の低減レートリソースを決定するための手段をさらに備え、前記１つまたは複数の低減レートリソースは、前記制限された送信レートで構成され、
前記受信された信号から前記第１の干渉送信を除去することは、前記１つまたは複数の低減レートリソースにさらに基づく、請求項１５に記載のＵＥ。
【請求項２１】
前記第１の干渉送信の前記除去の成功レートを示す統計を前記サービス提供セルに報告するための手段をさらに備える、請求項１５に記載のＵＥ。
【請求項２２】
ワイヤレス通信のための装置であって、
第１の基地局から第１のユーザ機器（ＵＥ）への１つまたは複数のリソース上での送信のために制限された送信レートを決定するための手段と、
前記第１の基地局とは異なる第２の基地局によってサービス提供される第２のＵＥに前記制限された送信レートをシグナリングするための手段と、
を備える、装置。
【請求項２３】
前記制限された送信レートは、前記第２のＵＥからの測定に基づいて決定される、請求項２２に記載の装置。
【請求項２４】
前記測定は、前記送信が前記第２のＵＥにおいて受信された少なくとも１つの第２の送信よりも実質的に強力な干渉を引き起こすことを示す、請求項２３に記載の装置。
【請求項２５】
前記測定はさらに、前記第２のＵＥにおいて受信された信号からの前記送信の除去の後に前記第２のＵＥによって予期される利得を示す、請求項２４に記載の装置。
【請求項２６】
前記第２のＵＥにおいて受信された前記信号からの前記送信の前記除去の成功レートを示す統計を前記第２のＵＥから受信するための手段をさらに備える、請求項２５に記載の装置。
【請求項２７】
前記制限された送信レートに基づいて前記送信を前記第１のＵＥに送る手段をさらに備える、請求項２２に記載の装置。
【請求項２８】
前記送信のために低減レートリソースを決定するための手段をさらに備える、請求項２２に記載の装置。
【手続補正２】
【補正対象書類名】明細書
【補正対象項目名】０１００
【補正方法】変更
【補正の内容】
【０１００】
[00115]先の説明は、あらゆる当業者が本明細書で説明されている様々な態様を実施することを可能にするように提供されている。これらの態様への様々な変更は当業者には容易に明らかになり、本明細書で定義されている包括的な本質は他の態様に適用されうる。したがって、請求項は、本明細書で示されている態様に限定されるようには意図されていないけれども、請求項の用語と一貫した最大範囲を与えられるものとし、ここにおいて、単数の要素に対する参照は、「１つおよび１つだけ」を、そのように特別に述べられない限りは意味するように意図されておらず、むしろ「１つまたは複数」を意味するように意図されている。「実例的」という言葉は、「例、事例、または例示としての役目をする」を意味するように本明細書では使用されている。「実例的」として本明細書で説明されているあらゆる態様は、必ずしも、他の態様よりも好ましい、または有利であると解釈されるものではない。他の方法で特別に述べられていない限り、「いくつか」という用語は、１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらのあらゆる組み合わせ」のような組み合わせは、Ａ、Ｂ、および／またはＣのいずれの組み合わせも含み、複数のＡ、複数のＢ、または、複数のＣを含むことができる。特に、「Ａ、Ｂ、またはＣのうちの少なくとも１つ」、「Ａ、Ｂ、およびＣのうちの少なくとも１つ」、および「Ａ、Ｂ、Ｃ、またはそれらのあらゆる組み合わせ」のような組み合わせは、Ａのみ、Ｂのみ、Ｃのみ、ＡとＢ、ＡとＣ、ＢとＣ、またはＡとＢとＣであり得、ここにおいてそのようなあらゆる組み合わせが、Ａ、Ｂ、またはＣの１つまたは複数のメンバを含むことができる。当業者に知られている、または後に知られることになる本開示全体で説明されている様々な態様の要素に対するすべての構造的および機能的な均等物は、参照によって本明細書に明確に組み込まれ、請求項によって包含されるように意図されている。さらに本明細書で開示されているものはどれも、そのような開示が請求項に明示的に記載されているかどうかに関わらず、公共に寄与されるようには意図されていない。どの請求項の要素も、その要素が「〜のための手段」という表現を使用して明確に記載されていない限り、ミーンズプラスファンクションとして解釈されるものではない。
以下に、出願当初の特許請求の範囲に記載された発明を付記する。
［Ｃ１］
ユーザ機器（ＵＥ）のためのワイヤレス通信の方法であって、
ＵＥにおいて信号を受信することと、前記受信された信号は、サービス提供セルからの送信および少なくとも１つの干渉送信を備え、前記少なくとも１つの干渉送信は、第１の干渉送信を含む、
前記第１の干渉送信に関連付けられる、制限された送信レートを決定することと、
前記制限された送信レートに基づいて前記第１の干渉送信を除去することと、
を備える方法。
［Ｃ２］
前記少なくとも１つの干渉送信を受信するよりも前に、前記サービス提供セルから構成情報を受信することをさらに備え、前記構成情報は、
前記第１の干渉送信が受信される１つまたは複数の低減レートリソースの指示と、
前記第１の干渉送信に関連付けられる、前記制限された送信レートと、
を少なくとも含む、Ｃ１に記載の方法。
［Ｃ３］
前記少なくとも１つの干渉送信に対して測定を実行することと、前記少なくとも１つの干渉送信は、１つまたは複数の干渉セルからのものである、
前記サービス提供セルに前記測定を報告することと、
をさらに備える、Ｃ１に記載の方法。
［Ｃ４］
前記１つまたは複数の干渉セルは、前記ＵＥにおいて受信された少なくとも１つの第２の干渉送信よりも実質的に強力な前記受信された信号への干渉を引き起こす、前記第１の干渉送信を送る優性干渉セルを含む、Ｃ３に記載の方法。
［Ｃ５］
前記測定はさらに、前記受信された信号から前記第１の干渉送信を除去した後に前記ＵＥによって予期される利得を示す、Ｃ４に記載の方法。
［Ｃ６］
前記第１の干渉送信が受信される１つまたは複数の低減レートリソースを決定することをさらに備え、前記１つまたは複数の低減レートリソースは、前記制限された送信レートで構成され、
前記受信された信号から前記第１の干渉送信を除去することは、前記１つまたは複数の低減レートリソースに対して実行される、Ｃ１に記載の方法。
［Ｃ７］
前記第１の干渉送信の前記除去の成功レートを示す統計を前記サービス提供セルに報告することをさらに備える、Ｃ１に記載の方法。
［Ｃ８］
ワイヤレス通信の方法であって、
１つまたは複数のリソース上での送信のために制限された送信レートを決定することと、
ユーザ機器（ＵＥ）に前記制限された送信レートをシグナリングすることと、
を備える、方法。
［Ｃ９］
前記制限された送信レートは、前記ＵＥからの測定に基づいて決定される、Ｃ８に記載の方法。
［Ｃ１０］
前記測定は、前記送信が前記ＵＥにおいて受信された少なくとも１つの第２の送信よりも実質的に強力な干渉を引き起こすことを示す、Ｃ９に記載の方法。
［Ｃ１１］
前記測定はさらに、前記ＵＥにおいて受信された信号からの送前記信の除去の後にＵＥによって予期される利得を示す、Ｃ１０に記載の方法。
［Ｃ１２］
前記ＵＥにおいて受信された前記信号からの前記送信の前記除去の成功レートを示す統計を前記ＵＥから受信すること、
をさらに備える、Ｃ１１に記載の方法。
［Ｃ１３］
前記制限された送信レートに基づいて前記送信をＵＥに送ることをさらに備える、Ｃ８に記載の方法。
［Ｃ１４］
前記送信のために低減レートリソースを決定することをさらに備える、Ｃ８に記載の方法。
［Ｃ１５］
ワイヤレス通信のためのユーザ機器（ＵＥ）であって、
ＵＥにおいて信号を受信するための手段と、前記受信された信号は、サービス提供セルからの送信および少なくとも１つの第１の干渉送信を備える、
前記第１の干渉送信に関連付けられる、制限された送信レートを決定するための手段と、
前記制限された送信レートに基づいて、前記受信された信号から前記第１の干渉送信を除去するための手段と、
を備える、ＵＥ。
［Ｃ１６］
前記少なくとも１つの干渉送信を受信するよりも前に、前記サービス提供セルから構成情報を受信するための手段をさらに備え、前記構成情報は、
前記第１の干渉送信が受信される１つまたは複数の低減レートリソースの指示と、
前記第１の干渉送信に関連付けられる、前記制限された送信レートと、
を少なくとも含む、Ｃ１５に記載のＵＥ。
［Ｃ１７］
１つまたは複数の干渉セルからの干渉送信に対して測定を実行するための手段と、
前記サービス提供セルに前記測定を報告するための手段と、
をさらに備える、Ｃ１５に記載のＵＥ。
［Ｃ１８］
前記１つまたは複数の干渉セルは、前記ＵＥにおいて受信された少なくとも１つの第２の干渉送信よりも実質的に強力な前記受信された信号への干渉を引き起こす、前記第１の干渉送信を送る優性干渉セルを含む、Ｃ１７に記載のＵＥ。
［Ｃ１９］
前記測定はさらに、前記受信された信号から前記第１の干渉送信を除去した後に前記ＵＥによって予期される利得を示す、Ｃ１８に記載のＵＥ。
［Ｃ２０］
前記第１の干渉送信が受信される１つまたは複数の低減レートリソースを決定するための手段をさらに備え、前記１つまたは複数の低減レートリソースは、前記制限された送信レートで構成され、
前記受信された信号から前記第１の干渉送信を除去することは、前記１つまたは複数の低減レートリソースにさらに基づく、Ｃ１５に記載のＵＥ。
［Ｃ２１］
前記第１の干渉送信の前記除去の成功レートを示す統計を前記サービス提供セルに報告するための手段をさらに備える、Ｃ１５に記載のＵＥ。
［Ｃ２２］
ワイヤレス通信のための装置であって、
１つまたは複数のリソース上での送信のために制限された送信レートを決定するための手段と、
ユーザ機器（ＵＥ）に前記制限された送信レートをシグナリングする手段と、
を備える、装置。
［Ｃ２３］
前記制限された送信レートは、前記ＵＥからの測定に基づいて決定される、Ｃ２２に記載の装置。
［Ｃ２４］
前記測定は、前記送信が前記ＵＥにおいて受信された少なくとも１つの第２の送信よりも実質的に強力な干渉を引き起こすことを示す、Ｃ２３に記載の装置。
［Ｃ２５］
前記測定はさらに、前記ＵＥにおいて受信された信号からの前記送信の除去の後にＵＥによって予期される利得を示す、Ｃ２４に記載の装置。
［Ｃ２６］
前記ＵＥにおいて受信された前記信号からの前記送信の前記除去の成功レートを示す統計を前記ＵＥから受信するための手段をさらに備える、Ｃ２５に記載の装置。
［Ｃ２７］
前記制限された送信レートに基づいて前記送信を前記ＵＥに送る手段をさらに備える、Ｃ２２に記載の装置。
［Ｃ２８］
前記送信のために低減レートリソースを決定するための手段をさらに備える、Ｃ２２に記載の装置。
【手続補正書】
【提出日】平成28年6月29日(2016.6.29)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
少なくとも１つの干渉送信を受信するよりも前に、サービス提供セルから構成情報を受信することと、前記構成情報は、少なくとも制限された送信レートを含み、前記制限された送信レートは、低減された送信レートである、
前記ＵＥにおいて信号を受信することと、前記受信された信号は、サービス提供セルからの送信および少なくとも１つの干渉送信を備え、前記少なくとも１つの干渉送信は、第１の干渉送信を含む、
前記第１の干渉送信に関連付けられる、制限された送信レートを前記ＵＥによって決定することと、
前記決定された制限された送信レートに基づいて前記第１の干渉送信を除去することと、
を備える方法。
【請求項２】
前記構成情報は、
前記第１の干渉送信が受信される１つまたは複数の低減レートリソースの指示と、
前記第１の干渉送信に関連付けられる、前記制限された送信レートと、
を少なくともさらに備える、請求項１に記載の方法。
【請求項３】
前記少なくとも１つの干渉送信に対して測定を実行することと、前記少なくとも１つの干渉送信は、１つまたは複数の干渉セルからのものである、
前記サービス提供セルに前記測定を報告することと、
をさらに備える、請求項１に記載の方法。
【請求項４】
前記１つまたは複数の干渉セルは、前記ＵＥにおいて受信された少なくとも１つの第２の干渉送信よりも実質的に強力な前記受信された信号への干渉を引き起こす、前記第１の干渉送信を送る優性干渉セルを含む、請求項３に記載の方法。
【請求項５】
前記測定はさらに、前記受信された信号から前記第１の干渉送信を除去した後に前記ＵＥによって予期される利得を示す、請求項４に記載の方法。
【請求項６】
前記第１の干渉送信が受信される１つまたは複数の低減レートリソースを決定することをさらに備え、前記１つまたは複数の低減レートリソースは、前記制限された送信レートで構成され、
前記受信された信号から前記第１の干渉送信を除去することは、前記１つまたは複数の低減レートリソースに対して実行される、請求項１に記載の方法。
【請求項７】
前記第１の干渉送信の前記除去の成功レートを示す統計を前記サービス提供セルに報告することをさらに備える、請求項１に記載の方法。
【請求項８】
ワイヤレス通信の方法であって、
第１の基地局から第１のユーザ機器（ＵＥ）への１つまたは複数のリソース上での送信のために制限された送信レートを決定することと、前記制限された送信レートは、前記送信の低減された送信レートである、
前記第１の基地局とは異なる第２の基地局によってサービス提供される第２のＵＥに前記制限された送信レートをシグナリングすることと、
を備える、方法。
【請求項９】
前記制限された送信レートは、前記第２のＵＥからの測定に基づいて決定される、請求項８に記載の方法。
【請求項１０】
前記測定は、前記送信が前記第２のＵＥにおいて受信された少なくとも１つの第２の送信よりも実質的に強力な干渉を引き起こすことを示す、請求項９に記載の方法。
【請求項１１】
前記測定はさらに、前記第２のＵＥにおいて受信された信号からの送前記信の除去の後に前記第２のＵＥによって予期される利得を示す、請求項１０に記載の方法。
【請求項１２】
前記第２のＵＥにおいて受信された前記信号からの前記送信の前記除去の成功レートを示す統計を前記第２のＵＥから受信すること、
をさらに備える、請求項１１に記載の方法。
【請求項１３】
前記制限された送信レートに基づいて前記送信を前記第１のＵＥに送ることをさらに備える、請求項８に記載の方法。
【請求項１４】
前記送信のために低減レートリソースを決定することをさらに備える、請求項８に記載の方法。
【請求項１５】
ワイヤレス通信のためのユーザ機器（ＵＥ）であって、
少なくとも１つの干渉送信を受信するよりも前に、サービス提供セルから構成情報を受信するための手段と、前記構成情報は、少なくとも制限された送信レートを含み、前記制限された送信レートは、低減された送信レートである、
前記ＵＥにおいて信号を受信するための手段と、前記受信された信号は、サービス提供セルからの送信および少なくとも１つの干渉送信を備え、前記少なくとも１つの干渉送信は、第１の干渉送信を含む、
前記第１の干渉送信に関連付けられる、制限された送信レートを決定するための手段と、
前記決定された制限された送信レートに基づいて、前記受信された信号から前記第１の干渉送信を除去するための手段と、
を備える、ＵＥ。
【請求項１６】
前記構成情報は、
前記第１の干渉送信が受信される１つまたは複数の低減レートリソースの指示と、
前記第１の干渉送信に関連付けられる、前記制限された送信レートと、
を少なくともさらに備える、請求項１５に記載のＵＥ。
【請求項１７】
１つまたは複数の干渉セルからの干渉送信に対して測定を実行するための手段と、
前記サービス提供セルに前記測定を報告するための手段と、
をさらに備える、請求項１５に記載のＵＥ。
【請求項１８】
前記１つまたは複数の干渉セルは、前記ＵＥにおいて受信された少なくとも１つの第２の干渉送信よりも実質的に強力な前記受信された信号への干渉を引き起こす、前記第１の干渉送信を送る優性干渉セルを含む、請求項１７に記載のＵＥ。
【請求項１９】
前記測定はさらに、前記受信された信号から前記第１の干渉送信を除去した後に前記ＵＥによって予期される利得を示す、請求項１８に記載のＵＥ。
【請求項２０】
前記第１の干渉送信が受信される１つまたは複数の低減レートリソースを決定するための手段をさらに備え、前記１つまたは複数の低減レートリソースは、前記制限された送信レートで構成され、
前記受信された信号から前記第１の干渉送信を除去することは、前記１つまたは複数の低減レートリソースにさらに基づく、請求項１５に記載のＵＥ。
【請求項２１】
前記第１の干渉送信の前記除去の成功レートを示す統計を前記サービス提供セルに報告するための手段をさらに備える、請求項１５に記載のＵＥ。
【請求項２２】
ワイヤレス通信のための装置であって、
第１の基地局から第１のユーザ機器（ＵＥ）への１つまたは複数のリソース上での送信のために制限された送信レートを決定するための手段と、前記制限された送信レートは、第１の干渉送信の低減された送信レートである、
前記第１の基地局とは異なる第２の基地局によってサービス提供される第２のＵＥに前記制限された送信レートをシグナリングするための手段と、
を備える、装置。
【請求項２３】
前記制限された送信レートは、前記第２のＵＥからの測定に基づいて決定される、請求項２２に記載の装置。
【請求項２４】
前記測定は、前記送信が前記第２のＵＥにおいて受信された少なくとも１つの第２の送信よりも実質的に強力な干渉を引き起こすことを示す、請求項２３に記載の装置。
【請求項２５】
前記測定はさらに、前記第２のＵＥにおいて受信された信号からの前記送信の除去の後に前記第２のＵＥによって予期される利得を示す、請求項２４に記載の装置。
【請求項２６】
前記第２のＵＥにおいて受信された前記信号からの前記送信の前記除去の成功レートを示す統計を前記第２のＵＥから受信するための手段をさらに備える、請求項２５に記載の装置。
【請求項２７】
前記制限された送信レートに基づいて前記送信を前記第１のＵＥに送る手段をさらに備える、請求項２２に記載の装置。
【請求項２８】
前記送信のために低減レートリソースを決定するための手段をさらに備える、請求項２２に記載の装置。
【国際調査報告】
2016536835.tif 000021
2016536835.tif 000022